(57)【要約】  本発明は、システムの周波数領域リソースブロックＲＢを１つまたは複数のサブチャネルに分割してシステムのサブチャネル設定を達成し、各該サブチャネルに含まれる該ＲＢは重複しないことと、該サブチャネルごとに一意のサブチャネルインデックスを対応させ、対応する該サブチャネルに含まれ、ユーザ端末の制御情報及び／又はデータ情報を運ぶためのＲＢを使用することを、該サブチャネルインデックスによって指示することと、を含むリソース設定を実現する方法及び装置を提供する。上記の手段によって、Ｖ２Ｖ通信システムにおいて設定する時間領域／周波数領域リソースを指示するオーバーヘッドが大きいという問題を解決し、設定する時間領域／周波数領域リソースを指示するオーバーヘッドが低減する。【選択図】図２
2019510396.tif 000002
【特許請求の範囲】
【請求項１】
システムの周波数領域リソースブロックＲＢを１つまたは複数のサブチャネルに分割してシステムのサブチャネル設定を達成し、各前記サブチャネルに含まれるＲＢは重複しないことと、
前記サブチャネルごとに一意のサブチャネルインデックスを対応させ、対応する前記サブチャネルに含まれ、ユーザ端末の制御情報及び／又はデータ情報を運ぶためのＲＢを使用することを、前記サブチャネルインデックスによって指示することと、を含む、リソース設定を実現する方法。
【請求項２】
前記サブチャネルは、いずれも周波数領域において１つまたは複数のＲＢを含み、時間領域において１つのサブフレームを含む、請求項１に記載の方法。
【請求項３】
前記サブチャネル設定は、連続する物理ＲＢにおける前記サブチャネルの分割を指示するために用いられるか、または、
前記サブチャネル設定は、論理的に連続するＲＢにおける前記サブチャネルの分割を指示するために用いられ、前記論理的に連続するＲＢには、物理ＲＢとマッピング関係が存在する、請求項１に記載の方法。
【請求項４】
前記サブチャネルが前記制御情報及びデータ情報を運ぶために用いられる場合、前記制御情報を運ぶ方式は、
前記サブチャネルの時間領域リソースにおいて、前記制御情報がサブフレーム内のすべての利用可能なシンボルに運ばれてマッピングされ、前記サブチャネルの周波数領域リソースにおいて、前記制御情報が定められた１つまたは複数のＲＢに運ばれてマッピングされることと、
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が前記サブチャネルに含まれるすべてのＲＢに運ばれてマッピングされることと、
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が定められた１つまたは複数のＲＢに運ばれてマッピングされることと、のいずれかを含み、
前記シンボルは、前記サブフレームのシングルキャリア周波数分割多重アクセス（ＳＣ−ＦＤＭＡ）シンボル、または直交周波数分割多重（ＯＦＤＭ）シンボルである、請求項１に記載の方法。
【請求項５】
前記サブチャネルが前記制御情報及びデータ情報を運ぶために用いられる場合、または、前記サブチャネルが前記データ情報を運ぶために用いられる場合に、前記データ情報を運ぶ方式は、
前記サブチャネルの時間領域リソースにおいて、前記データ情報がサブフレーム内のすべての利用可能なシンボルに運ばれてマッピングされ、前記サブチャネルの周波数領域リソースにおいて、前記データ情報が定められた１つまたは複数のＲＢに運ばれてマッピングされることと、
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が前記サブチャネルに含まれるすべてのＲＢに運ばれてマッピングされることと、
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が定められた１つまたは複数のＲＢに運ばれてマッピングされることと、のいずれかを含む、請求項１に記載の方法。
【請求項６】
前記サブチャネルがユーザ端末の制御情報及び／又はデータ情報を運ぶために用いられる場合に、前記サブチャネルに、前記ユーザ端末の制御情報を運ぶための制御情報リソースドメインと、前記ユーザ端末のデータ情報を運ぶためのデータ情報リソースドメインとが含まれる、請求項１に記載の方法。
【請求項７】
前記サブチャネルにおける制御情報リソースドメイン及びデータ情報リソースドメインに含まれるリソースとして、
各前記サブチャネルのリソースにおいて、制御情報リソースドメインに含まれるリソース以外のリソースは、データチャネルリソースドメインに含まれるリソースである、請求項６に記載の方法。
【請求項８】
前記サブチャネルにおける情報リソースドメインを制御する方式は、
システムを予め定義する方式と、
システムブロードキャストメッセージによって指示する方式と、
上位層からのシグナリングによって指示する方式との少なくとも一種を含む、請求項６に記載の方法。
【請求項９】
前記システムを予め定義する方式で前記サブチャネルにおける制御情報リソースドメインのリソース設定を指示する場合に、システムによって、前記サブチャネルに含まれる制御情報リソースドメインに含まれるリソースを予め定義する、請求項６に記載の方法。
【請求項１０】
前記システムブロードキャストメッセージ及び／又は前記上位層からのシグナリングによって前記サブチャネルにおける制御情報リソースドメイン及びデータ情報リソースドメインのリソース設定を指示する場合に、システムブロードキャストメッセージ及び／又は上位層からのシグナリングによって、前記サブチャネルに含まれる制御情報リソースドメインに含まれるリソースを指示する、請求項６に記載の方法。
【請求項１１】
前記サブチャネルの制御情報リソースドメインに含まれるリソースは、
前記サブチャネルの時間領域リソースにおいて、前記制御情報リソースドメインにサブフレーム内のすべての利用可能なシンボルが含まれ、前記サブチャネルの周波数領域リソースにおいて、前記制御情報リソースドメインに定められた１つまたは複数のＲＢが含まれることと、
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインにすべてのＲＢが含まれることと、
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインに定められた１つまたは複数のＲＢが含まれることと、のいずれかを含む、請求項６に記載の方法。
【請求項１２】
前記サブチャネルのデータ情報リソースドメインに含まれるリソースは、
前記サブチャネルの時間領域リソースにおいて、前記データ情報リソースドメインにサブフレーム内のすべての利用可能なシンボルが含まれ、前記サブチャネルの周波数領域リソースにおいて、前記データ情報リソースドメインに定められた１つまたは複数のＲＢが含まれることと、
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインにすべてのＲＢが含まれることと、
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインに定められた１つまたは複数のＲＢが含まれることと、のいずれかを含むことを特徴とする請求項６に記載の方法。
【請求項１３】
前記サブチャネル設定を指示する方式は、
システムを予め定義する方式と、システムブロードキャストメッセージによって指示する方式と、上位層からのシグナリングによって指示する方式との少なくとも一種を含む、請求項１に記載の方法。
【請求項１４】
前記システムを予め定義する方式で前記サブチャネル設定を指示する場合に、システムによって、各前記サブチャネルに含まれるＲＢの数及び位置を予め定義し、前記サブチャネルインデックスを順番に定義し、前記サブチャネルインデックスに対応する前記サブチャネルに含まれるＲＢを一意に決定する、請求項１３に記載の方法。
【請求項１５】
前記システムブロードキャストメッセージ及び／又は前記上位層からのシグナリングによって前記サブチャネル設定を指示する場合に、システムが利用可能なＲＢにおいて、システムブロードキャストメッセージ及び／又は上位層からのシグナリングによって、各前記サブチャネルに含まれるＲＢの数及び位置を指示し、前記サブチャネルインデックスを順番に定義し、前記サブチャネルインデックスに対応する前記サブチャネルに含まれるＲＢを一意に決定する、請求項１３に記載の方法。
【請求項１６】
前記システムブロードキャストメッセージ及び／又は前記上位層からのシグナリングによって前記サブチャネル設定を指示する場合に、前記システムの利用可能なＲＢリソースにおいて、各前記サブチャネルに同じ数のＲＢを設定し、各前記サブチャネルに含まれるＲＢの数を指示するか、または、分割される前記サブチャネルの総数を指示すると共に、前記サブチャネルインデックスを順番に定義し、前記サブチャネルインデックスに対応する前記サブチャネルに含まれるＲＢを一意に決定する、請求項１３に記載の方法。
【請求項１７】
前記システムブロードキャストメッセージ及び／又は前記上位層からのシグナリングによって、前記サブチャネル設定を指示する場合に、前記システムの利用可能なＲＢリソースにおいて、ｍ個（ｍは、正の整数であり、前記システムの利用可能なＲＢリソースの総数よりも小さい）のＲＢにおける前記サブチャネル設定を指示し、
前記ｍ個のＲＢにおける前記サブチャネル設定を前記システムの利用可能なＲＢにおいて順番に繰り返し拡張し、前記システム内のすべての利用可能なＲＢにおける前記サブチャネル設定を決定し、前記サブチャネルインデックスを順番に定義し、前記サブチャネルインデックスに対応する前記サブチャネルに含まれるＲＢを一意に決定する、請求項１３に記載の方法。
【請求項１８】
前記システムブロードキャストメッセージ及び／又は前記上位層からのシグナリングによって前記サブチャネル設定を指示する場合に、前記システムの利用可能なＲＢリソースにおいて、ビットマップ（ｂｉｔｍａｐ）シーケンスを用いて前記サブチャネル設定を指示し、前記ビットマップシーケンスの長さは、前記システムの利用可能なＲＢの数に等しく、前記ビットマップシーケンスにおける各ビットが前記システムにおける利用可能なＲＢに１対１対応し、
前記ビットマップシーケンスにおいて、「１」と示されたビットに対応するＲＢを１つの前記サブチャネルのスタートＲＢとし、「０」と示されたビットに対応するＲＢを１つ前の隣接ＲＢのサブチャネルと同じであるＲＢとするか、または、
前記ビットマップシーケンスにおいて、「０」と示されたビットに対応するＲＢを１つの前記サブチャネルのスタートＲＢとし、「１」と示されたビットに対応するＲＢを１つ前の隣接ＲＢのサブチャネルと同じであるＲＢとし、
前記サブチャネルインデックスを順番に定義し、前記サブチャネルインデックスに対応する前記サブチャネルに含まれるＲＢを一意に決定する、請求項１３に記載の方法。
【請求項１９】
前記システムブロードキャストメッセージ及び／又は前記上位層からのシグナリングによって前記サブチャネル設定を指示する場合に、前記システムの利用可能なＲＢリソースにおいて、各前記サブチャネルのスタートＲＢの位置を指示し、実際の物理ＲＢインデックスを指示する方式、または論理ＲＢインデックスを指示する方式で、各前記サブチャネルのスタートＲＢを指示し、各前記サブチャネルのスタートＲＢから、次の前記サブチャネルのスタートＲＢまでのすべての利用可能なＲＢは、前記サブチャネルに含まれるＲＢであり、
前記サブチャネルインデックスを順番に定義し、前記サブチャネルインデックスに対応する前記サブチャネルに含まれるＲＢを一意に決定する、請求項１３に記載の方法。
【請求項２０】
前記システムブロードキャストメッセージ及び／又は前記上位層からのシグナリングによって前記サブチャネル設定を指示する場合に、同じ数のＲＢが含まれるサブチャネルを同一タイプに分け、各タイプのチャネルに含まれるＲＢの数、及び異なる数のＲＢが含まれるサブチャネルの合計タイプ数を指示し、指示の順番に従って各タイプの前記サブチャネルをシステムの利用可能なＲＢに順次対応させることによって、システムの前記サブチャネル設定を決定し、
前記サブチャネルインデックスを順番に定義し、前記サブチャネルインデックスに対応する前記サブチャネルに含まれるＲＢを一意に決定する、請求項１３に記載の方法。
【請求項２１】
異なるタイプの前記サブチャネルに含まれるＲＢの数及び各タイプの前記サブチャネルの総数を指示することによって、システムの前記サブチャネル設定を決定する場合に、各タイプの前記チャネルに含まれるＲＢの数に対してインクリメント指示方法を用いて、現タイプの前記サブチャネルに含まれるＲＢの数の、前のタイプの前記サブチャネルに対する増加値を指示し、前記現タイプのサブチャネルのうちの各前記サブチャネルに含まれるＲＢの数を決定する、請求項２０に記載の方法。
【請求項２２】
システムにおいて、異なるリソースプール及び／又はサブフレームに用いられる複数の組の前記サブチャネル設定を同時に指示する、請求項１に記載の方法。
【請求項２３】
システムの周波数領域リソースブロックＲＢを１つまたは複数のサブチャネルに分割してシステムのサブチャネル設定を達成し、前記サブチャネルに含まれる前記ＲＢを重複させないように構成される設定モジュールと、
前記サブチャネルごとに一意のサブチャネルインデックスを対応させ、対応する前記サブチャネルに含まれ、ユーザ端末の制御情報及び／又はデータ情報を運ぶためのＲＢを使用することを、前記サブチャネルインデックスによって指示することに用いられるように構成される指示モジュールとを含む、リソース設定を実現する装置。
【請求項２４】
前記サブチャネルは、いずれも周波数領域において１つまたは複数のＲＢを含み、時間領域において１つのサブフレームを含む、請求項２３に記載の装置。
【請求項２５】
前記サブチャネル設定は、連続する物理ＲＢにおける前記サブチャネルの分割を指示するために用いられるか、または、
前記サブチャネル設定は、論理的に連続するＲＢにおける前記サブチャネルの分割を指示するために用いられ、前記論理的に連続するＲＢには、物理ＲＢとマッピング関係が存在する、請求項２３に記載の装置。
【請求項２６】
前記サブチャネルが前記制御情報及びデータ情報を運ぶために用いられる場合に、前記制御情報を運ぶ方式は、
前記サブチャネルの時間領域リソースにおいて、前記制御情報がサブフレーム内のすべての利用可能なシンボルに運ばれてマッピングされ、前記サブチャネルの周波数領域リソースにおいて、前記制御情報が定められた１つまたは複数のＲＢに運ばれてマッピングされることと、
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が前記サブチャネルに含まれるすべてのＲＢに運ばれてマッピングされることと、
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が定められた１つまたは複数のＲＢに運ばれてマッピングされることと、のいずれかを含み、
前記シンボルは、前記サブフレームのシングルキャリア周波数分割多重アクセス（ＳＣ−ＦＤＭＡ）シンボル、または直交周波数分割多重（ＯＦＤＭ）シンボルである、請求項２３に記載の装置。
【請求項２７】
前記サブチャネルが前記制御情報及びデータ情報を運ぶために用いられる場合、または、前記サブチャネルが前記データ情報を運ぶために用いられる場合に、前記データ情報を運ぶ方式は、
前記サブチャネルの時間領域リソースにおいて、前記データ情報がサブフレーム内のすべての利用可能なシンボルに運ばれてマッピングされ、前記サブチャネルの周波数領域リソースにおいて、前記データ情報が定められた１つまたは複数のＲＢに運ばれてマッピングされることと、
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が前記サブチャネルに含まれるすべてのＲＢに運ばれてマッピングされることと、
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が定められた１つまたは複数のＲＢに運ばれてマッピングされることと、のいずれかを含む、請求２３に記載の装置。
【請求項２８】
前記サブチャネルがユーザ端末の制御情報及び／又はデータ情報を運ぶために用いられる場合に、前記サブチャネルに、前記ユーザ端末の制御情報を運ぶための制御情報リソースドメインと、前記ユーザ端末のデータ情報を運ぶためのデータ情報リソースドメインとが含まれる、請求項２３に記載の装置。
【請求項２９】
前記サブチャネルにおける制御情報リソースドメイン及びデータ情報リソースドメインに含まれるリソースとして、
各前記サブチャネルのリソースにおいて、制御情報リソースドメインに含まれるリソース以外のリソースは、データチャネルリソースドメインに含まれるリソースである、請求項２８に記載の装置。
【請求項３０】
前記サブチャネルにおける情報リソースドメインを制御する方式は、
システムを予め定義する方式と、システムブロードキャストメッセージによって指示する方式と、上位層からのシグナリングによって指示する方式との少なくとも一種を含む、請求項２８に記載の装置。
【請求項３１】
前記システムを予め定義する方式で前記サブチャネルにおける制御情報リソースドメインのリソース設定を指示する場合に、システムによって、前記サブチャネルに含まれる制御情報リソースドメインに含まれるリソースを予め定義する、請求項２８に記載の装置。
【請求項３２】
前記システムブロードキャストメッセージ及び／又は前記上位層からのシグナリングによって前記サブチャネルにおける制御情報リソースドメイン及びデータ情報リソースドメインのリソース設定を指示する場合に、システムブロードキャストメッセージ及び／又は上位層からのシグナリングによって、前記サブチャネルに含まれる制御情報リソースドメインに含まれるリソースを指示する、請求項２８に記載の装置。
【請求項３３】
前記サブチャネルの制御情報リソースドメインに含まれるリソースは、
前記サブチャネルの時間領域リソースにおいて、前記制御情報リソースドメインにサブフレーム内のすべての利用可能なシンボルが含まれ、前記サブチャネルの周波数領域リソースにおいて、前記制御情報リソースドメインに定められた１つまたは複数のＲＢが含まれることと、
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインにすべてのＲＢが含まれることと、
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインに定められた１つまたは複数のＲＢが含まれることと、のいずれかを含む、請求項２８に記載の装置。
【請求項３４】
前記サブチャネルのデータ情報リソースドメインに含まれるリソースは、
前記サブチャネルの時間領域リソースにおいて、前記データ情報リソースドメインにサブフレーム内のすべての利用可能なシンボルが含まれ、前記サブチャネルの周波数領域リソースにおいて、前記データ情報リソースドメインに定められた１つまたは複数のＲＢが含まれることと、
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインにすべてのＲＢが含まれることと、
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインに定められた１つまたは複数のＲＢが含まれることと、のいずれかを含む、請求項２８に記載の装置。
【請求項３５】
前記サブチャネル設定を指示する方式は、
システムを予め定義する方式と、システムブロードキャストメッセージによって指示する方式と、上位層からのシグナリングによって指示する方式との少なくとも一種を含む、請求項２３に記載の装置。
【請求項３６】
前記システムを予め定義する方式で前記サブチャネル設定を指示する場合に、システムによって、各前記サブチャネルに含まれるＲＢの数及び位置を予め定義し、前記サブチャネルインデックスを順番に定義し、前記サブチャネルインデックスに対応する前記サブチャネルに含まれるＲＢを一意に決定する、請求項３５に記載の装置。
【請求項３７】
前記システムブロードキャストメッセージ及び／又は前記上位層からのシグナリングによって前記サブチャネル設定を指示する場合に、システムが利用可能なＲＢにおいて、システムブロードキャストメッセージ及び／又は上位層からのシグナリングによって、各前記サブチャネルに含まれるＲＢの数及び位置を指示し、前記サブチャネルインデックスを順番に定義し、前記サブチャネルインデックスに対応する前記サブチャネルに含まれるＲＢを一意に決定する、請求項３５に記載の装置。
【請求項３８】
前記システムブロードキャストメッセージ及び／又は前記上位層からのシグナリングによって前記サブチャネル設定を指示する場合に、前記システムの利用可能なＲＢリソースにおいて、各前記サブチャネルに同じ数のＲＢを設定し、各前記サブチャネルに含まれるＲＢの数を指示し、または、分割される前記サブチャネルの総数を指示すると共に、前記サブチャネルインデックスを順番に定義し、前記サブチャネルインデックスに対応する前記サブチャネルに含まれるＲＢを一意に決定する、請求項３５に記載の装置。
【請求項３９】
前記システムブロードキャストメッセージ及び／又は前記上位層からのシグナリングによって、前記サブチャネル設定を指示する場合に、前記システムの利用可能なＲＢリソースにおいて、ｍ個（ｍは、正の整数であり、前記システムの利用可能なＲＢリソースの総数よりも小さい）のＲＢにおける前記サブチャネル設定を指示し、
前記ｍ個のＲＢにおける前記サブチャネル設定を前記システムの利用可能なＲＢにおいて順番に繰り返し拡張し、前記システム内のすべての利用可能なＲＢにおける前記サブチャネル設定を決定し、前記サブチャネルインデックスを順番に定義し、前記サブチャネルインデックスに対応する前記サブチャネルに含まれるＲＢを一意に決定することを特徴とする請求項３５に記載の装置。
【請求項４０】
前記システムブロードキャストメッセージ及び／又は前記上位層からのシグナリングによって前記サブチャネル設定を指示する場合に、前記システムの利用可能なＲＢリソースにおいて、ビットマップ（ｂｉｔｍａｐ）シーケンスを用いて前記サブチャネル設定を指示し、前記ビットマップシーケンスの長さは、前記システムの利用可能なＲＢの数に等しく、前記ビットマップシーケンスにおける各ビットが前記システムにおける利用可能なＲＢに１対１対応し、
前記ビットマップシーケンスにおいて、「１」と示されたビットに対応するＲＢを１つの前記サブチャネルのスタートＲＢとし、「０」と示されたビットに対応するＲＢを１つ前の隣接ＲＢのサブチャネルと同じであるＲＢとし、または、
前記ビットマップシーケンスにおいて、「０」と示されたビットに対応するＲＢを１つの前記サブチャネルのスタートＲＢとし、「１」と示されたビットに対応するＲＢを１つ前の隣接ＲＢのサブチャネルと同じであるＲＢとし、
前記サブチャネルインデックスを順番に定義し、前記サブチャネルインデックスに対応する前記サブチャネルに含まれるＲＢを一意に決定する、請求項３５に記載の装置。
【請求項４１】
前記システムブロードキャストメッセージ及び／又は前記上位層からのシグナリングによって前記サブチャネル設定を指示する場合に、前記システムの利用可能なＲＢリソースにおいて、各前記サブチャネルのスタートＲＢの位置を指示し、実際の物理ＲＢインデックスを指示する方式、または論理ＲＢインデックスを指示する方式で、各前記サブチャネルのスタートＲＢを指示し、各前記サブチャネルのスタートＲＢから、次の前記サブチャネルのスタートＲＢまでのすべての利用可能なＲＢは、前記サブチャネルに含まれるＲＢであり、
前記サブチャネルインデックスを順番に定義し、前記サブチャネルインデックスに対応する前記サブチャネルに含まれるＲＢを一意に決定する、請求項３５に記載の装置。
【請求項４２】
前記システムブロードキャストメッセージ及び／又は前記上位層からのシグナリングによって前記サブチャネル設定を指示する場合に、同じ数のＲＢが含まれるサブチャネルを同一タイプに分け、各タイプのチャネルに含まれるＲＢの数、及び異なる数のＲＢが含まれるサブチャネルの合計タイプ数を指示し、指示の順番に従って各タイプの前記サブチャネルをシステムの利用可能なＲＢに順次対応させることによって、システムの前記サブチャネル設定を決定し、
前記サブチャネルインデックスを順番に定義し、前記サブチャネルインデックスに対応する前記サブチャネルに含まれるＲＢを一意に決定する、請求項３５に記載の装置。
【請求項４３】
異なるタイプの前記サブチャネルに含まれるＲＢの数、及び各タイプの前記サブチャネルの総数を指示することによって、システムの前記サブチャネル設定を決定する場合に、タイプの前記各チャネルに含まれるＲＢの数に対してインクリメント指示方法を用いて、現タイプの前記サブチャネルに含まれるＲＢの数の、前のタイプの前記サブチャネルに対する増加値を指示し、前記現タイプのサブチャネルのうちの各前記サブチャネルに含まれるＲＢの数を決定する、請求項４２に記載の装置。
【請求項４４】
システムにおいて、異なるリソースプール及び／又はサブフレームに用いられる複数の組の前記サブチャネル設定を同時に指示する、請求項２３に記載の装置。
【請求項４５】
請求項１から２２の何れか１項に記載のリソース設定を実現する方法を実行するためのコンピュータ実行可能な指令が記憶されているコンピュータ読み取り可能な記録媒体。
【発明の詳細な説明】
【技術分野】
【０００１】
本発明の実施例は、通信分野に関し、それに限定されず、具体的に、リソース設定を実現する方法及び装置に関する。
【背景技術】
【０００２】
経済や社会の急速な発展に伴い、中国の自動車保有量は忽ち増加し、道路交通事故が頻繁に発生し、近年中国公衆の安心感に影響を及ぼす要因の一つとなっている。車両の安全性を向上させる技術は、パッシブセーフティ技術とアクティブセーフティ技術に分かれている。パッシブセーフティ技術は、事故後に車内外の人員を保護するために用いられ、アクティブセーフティ技術は、車両事故の発生を防止して軽減し、人員が怪我することを回避するために用いられる。アクティブセーフティ技術は、現代の車両安全技術開発の焦点とトレンドである。
【０００３】
車両ネットワーキングシステムとは、車両に搭載されるセンサ、車載端末および電子タグなどの設備で車両情報が提供され、様々な通信技術を用いて車両と車両（Ｖｅｈｉｃｌｅ  ｔｏ  Ｖｅｈｉｃｌｅ、Ｖ２Ｖと略称する）、車両と人（Ｖｅｈｉｃｌｅ  ｔｏ  Ｐｅｒｓｏｎ、Ｖ２Ｐと略称する）、及び車両とインフラ（Ｖｅｈｉｃｌｅ  ｔｏ  Ｉｎｆｒａｓｔｒｕｃｔｕｒｅ、Ｖ２Ｉと略称する）の間の相互接続を実現して、情報ネットワークプラットフォームにおいて情報の抽出や共有などの活用を行い、車両を効果的に管理し、総合サービスを提供するシステムである。車両ネットワーキングは、通信に基づく車両情報通知及び衝突危険警告を実現可能とし、先進的な無線通信技術と次世代情報処理技術を利用することで、車両と車両、車両と道路脇インフラとの間のリアルタイムな情報交換を実現して、現在の状況（車両の位置、速度、加速度、走行経路を含む）と把握した道路環境情報を互いに通知し、道路の危険状況を協力的に認識して複数の衝突警告情報を適時提供し、道路交通事故の発生を防止し、現在の道路交通安全の問題を解決する新しい考えとなる。
【０００４】
近年、新しい移動通信技術の発展に伴い、長期的進化システム（Ｌｏｎｇ  Ｔｅｒｍ  Ｅｖｏｌｕｔｉｏｎ、ＬＴＥと略称する）に基づいて、車両ネットワーキング通信を解決することは注目されている検討テーマの一つである。ＬＴＥシステムの端末から端末（Ｄｅｖｉｃｅ  ｔｏ  Ｄｅｖｉｃｅ、Ｄ２Ｄと略称する）通信方式では、ユーザ端末（Ｕｓｅｒ  Ｅｑｕｉｐｍｅｎｔ、ＵＥと略称する）間でトラフィックを伝送する必要がある場合に、ＵＥ間のトラフィックデータは基地局による転送を必要とせず、データ源となるＵＥからエアインターフェースを介して対象ＵＥに直接伝送される。図１は関連技術によるＤ２Ｄ通信構造の概略図であり、図1に示すように、該通信モードは、従来のセルラシステムの通信モードと明らかに異なった特性を有する。車両ネットワーキングのＶ２Ｖ通信において、車両間の近距離通信に対してＤ２Ｄ通信を適用することが可能であり、無線スペクトルリソースを節約し、コアネットワークのデータ伝送圧力を減軽した。システムリソースの占有を低減させ、セルラ通信システムのスペクトル効率を向上させ、端末の送信電力を低減し、ネットワークの運用管理コストを大幅に削減するなどの効果を達成することができる。
【０００５】
Ｖ２Ｖ通信システムにおいては、ブロードキャストという通信方式が採用され、各ＵＥは、自ら通知するブロードキャストメッセージを個別に送信し、メッセージフォーマットおよびパケットサイズが相対的に固定される。従来のリソース指示や設定の方式において、十分に柔軟なリソース配分効果を提供するために、設定する時間領域／周波数領域リソースの指示用のオーバヘッドを大きくしたため、Ｖ２Ｖ情報伝送特性には適さない。
【０００６】
関連技術では、Ｖ２Ｖ通信システムにおいて設定する時間領域／周波数領域リソースを指示するオーバーヘッドが大きいという問題について、有効な解決策が今のところ存在しない。
【発明の概要】
【発明が解決しようとする課題】
【０００７】
以下は、本文で詳しく説明される主題に対する概要である。本概要は、特許請求の範囲を限定するものではない。
【０００８】
本発明の実施例は、少なくとも、関連技術のＶ２Ｖ通信システムにおいて設定する時間領域／周波数領域リソースを指示するオーバーヘッドが大きいという問題を解決するために、リソース設定を実現する方法及び装置を提供する。
【課題を解決するための手段】
【０００９】
本発明の実施例の一態様によれば、システムの周波数領域リソースブロックＲＢを１つまたは複数のサブチャネルに分割してシステムのサブチャネル設定を達成し、各前記サブチャネルに含まれる前記ＲＢは重複しないことと、前記サブチャネルごとに一意のサブチャネルインデックスを対応させ、対応する前記サブチャネルに含まれ、ユーザ端末の制御情報及び／又はデータ情報を運ぶためのＲＢを使用することを、前記サブチャネルインデックスによって指示することとを含むリソース設定を実現する方法を提供する。
【００１０】
オプションとして、前記サブチャネルは、いずれも周波数領域において１つまたは複数のＲＢを含み、時間領域において１つのサブフレームを含む。
【００１１】
オプションとして、前記サブチャネル設定は、連続する物理ＲＢにおける前記サブチャネルの分割を指示するために用いられるか、または、前記サブチャネル設定は、論理的に連続するＲＢにおける前記サブチャネルの分割を指示するために用いられ、前記論理的に連続するＲＢは、物理ＲＢとマッピング関係が存在する。
【００１２】
オプションとして、前記サブチャネルが前記制御情報及びデータ情報を運ぶために用いられる場合に、前記制御情報を運ぶ方式は、以下のいずれかの項目を含む。
前記サブチャネルの時間領域リソースにおいて、前記制御情報がサブフレーム内のすべての利用可能なシンボルに運ばれてマッピングされ、前記サブチャネルの周波数領域リソースにおいて、前記制御情報が定められた１つまたは複数のＲＢに運ばれてマッピングされること。
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が前記サブチャネルに含まれるすべてのＲＢに運ばれてマッピングされること。
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が定められた１つまたは複数のＲＢに運ばれてマッピングされること。
ここで、前記シンボルは、前記サブフレームのシングルキャリア周波数分割多重アクセス（ＳＣ−ＦＤＭＡ）シンボル、または直交周波数分割多重（ＯＦＤＭ）シンボルである。
【００１３】
オプションとして、前記サブチャネルが前記制御情報及びデータ情報を運ぶために用いられる場合に、前記データ情報を運ぶ方式は、以下のいずれかの項目を含む。
前記サブチャネルの時間領域リソースにおいて、前記データ情報がサブフレーム内のすべての利用可能なシンボルに運ばれてマッピングされ、前記サブチャネルの周波数領域リソースにおいて、前記データ情報が定められた１つまたは複数のＲＢに運ばれてマッピングされること。
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が前記サブチャネルに含まれるすべてのＲＢに運ばれてマッピングされること。
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が定められた１つまたは複数のＲＢに運ばれてマッピングされること。
【００１４】
オプションとして、前記サブチャネルがユーザ端末の制御情報及び／又はデータ情報を運ぶために用いられる場合に、前記サブチャネルに、前記ユーザ端末の制御情報を運ぶための制御情報リソースドメインと、前記ユーザ端末のデータ情報を運ぶためのデータ情報リソースドメインとが含まれる。
【００１５】
オプションとして、前記サブチャネルにおける制御情報リソースドメイン及びデータ情報リソースドメインに含まれるリソースとして、各前記サブチャネルのリソースにおいて、制御情報リソースドメインに含まれるリソース以外のリソースは、データチャネルリソースドメインに含まれるリソースである。
【００１６】
オプションとして、前記サブチャネルにおける情報リソースドメインを制御する方式は、システムを予め定義する方式と、システムブロードキャストメッセージによって指示する方式と、上位層からのシグナリングによって指示する方式との少なくとも一種を含む。
【００１７】
オプションとして、前記システムを予め定義する方式で前記サブチャネルにおける制御情報リソースドメインのリソース設定を指示する場合に、システムによって、前記サブチャネルに含まれる制御情報リソースドメインに含まれるリソースを予め定義する。
【００１８】
オプションとして、前記システムブロードキャストメッセージ及び／又は前記上位層からのシグナリングによって前記サブチャネルにおける制御情報リソースドメイン及びデータ情報リソースドメインのリソース設定を指示する場合に、システムブロードキャストメッセージ及び／又は上位層からのシグナリングによって、前記サブチャネルに含まれる制御情報リソースドメインに含まれるリソースを指示する。
【００１９】
オプションとして、前記サブチャネルの制御情報リソースドメインに含まれるリソースは、以下のいずれかの場合を含む。
前記サブチャネルの時間領域リソースにおいて、前記制御情報リソースドメインにサブフレーム内のすべての利用可能なシンボルが含まれ、前記サブチャネルの周波数領域リソースにおいて、前記制御情報リソースドメインにが定められた１つまたは複数のＲＢが含まれる。
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインにすべてのＲＢが含まれる。
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインに定められた１つまたは複数のＲＢが含まれる。
【００２０】
オプションとして、前記サブチャネルのデータ情報リソースドメインに含まれるリソースは、以下のいずれかの場合を含む。
前記サブチャネルの時間領域リソースにおいて、前記データ情報リソースドメインにサブフレーム内のすべての利用可能なシンボルが含まれ、前記サブチャネルの周波数領域リソースにおいて、前記データ情報リソースドメインに定められた１つまたは複数のＲＢが含まれる。
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインにすべてのＲＢが含まれる。
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインに定められた１つまたは複数のＲＢが含まれる。
【００２１】
オプションとして、前記サブチャネル設定を指示する方式は、システムを予め定義する方式と、システムブロードキャストメッセージによって指示する方式と、上位層からのシグナリングによって指示する方式との少なくとも一種を含む。
【００２２】
オプションとして、前記システムを予め定義する方式で前記サブチャネル設定を指示する場合に、システムによって、各前記サブチャネルに含まれるＲＢの数及び位置を予め定義し、前記サブチャネルインデックスを順番に定義し、前記サブチャネルインデックスに対応する前記サブチャネルに含まれるＲＢを一意に決定する。
【００２３】
オプションとして、前記システムブロードキャストメッセージ及び／又は前記上位層からのシグナリングによって前記サブチャネル設定を指示する場合に、システムが利用可能なＲＢにおいて、システムブロードキャストメッセージ及び／又は上位層からのシグナリングによって、各前記サブチャネルに含まれるＲＢの数及び位置を指示し、前記サブチャネルインデックスを順番に定義し、前記サブチャネルインデックスに対応する前記サブチャネルに含まれるＲＢを一意に決定する。
【００２４】
オプションとして、前記システムブロードキャストメッセージ及び／又は前記上位層からのシグナリングによって前記サブチャネル設定を指示する場合に、前記システムの利用可能なＲＢリソースにおいて、各前記サブチャネルに同じ数のＲＢを設定し、各前記サブチャネルに含まれるＲＢの数を指示し、または、分割される前記サブチャネルの総数を指示すると共に、前記サブチャネルインデックスを順番に定義し、前記サブチャネルインデックスに対応する前記サブチャネルに含まれるＲＢを一意に決定する。
【００２５】
オプションとして、前記システムブロードキャストメッセージ及び／又は前記上位層からのシグナリングによって、前記サブチャネル設定を指示する場合に、前記システムの利用可能なＲＢリソースにおいて、ｍ個（ｍは、正の整数であり、前記システムの利用可能なＲＢリソースの総数よりも小さい）のＲＢにおける前記サブチャネル設定を指示し、前記ｍ個のＲＢにおける前記サブチャネル設定を前記システムの利用可能なＲＢにおいて順番に繰り返し拡張し、前記システム内のすべての利用可能なＲＢにおける前記サブチャネル設定を決定し、前記サブチャネルインデックスを順番に定義し、前記サブチャネルインデックスに対応する前記サブチャネルに含まれるＲＢを一意に決定する。
【００２６】
オプションとして、前記システムブロードキャストメッセージ及び／又は前記上位層からのシグナリングによって前記サブチャネル設定を指示する場合に、前記システムの利用可能なＲＢリソースにおいて、ビットマップ（ｂｉｔｍａｐ）シーケンスを用いて前記サブチャネル設定を指示する。ここで、前記ビットマップシーケンスの長さは、前記システムの利用可能なＲＢの数に等しく、前記ビットマップシーケンスにおける各ビットが前記システムにおける利用可能なＲＢに１対１対応する。
前記ビットマップシーケンスにおいて、「１」と示されたビットに対応するＲＢを１つの前記サブチャネルのスタートＲＢとし、「０」と示されたビットに対応するＲＢを１つ前の隣接ＲＢのサブチャネルと同じであるＲＢとし、または、
前記ビットマップシーケンスにおいて、「０」と示されたビットに対応するＲＢを１つの前記サブチャネルのスタートＲＢとし、「１」と示されたビットに対応するＲＢを１つ前の隣接ＲＢのサブチャネルと同じであるＲＢとする。
前記サブチャネルインデックスを順番に定義し、前記サブチャネルインデックスに対応する前記サブチャネルに含まれるＲＢを一意に決定する。
【００２７】
オプションとして、前記システムブロードキャストメッセージ及び／又は前記上位層からのシグナリングによって前記サブチャネル設定を指示する場合に、前記システムの利用可能なＲＢリソースにおいて、各前記サブチャネルのスタートＲＢの位置を指示する。ここで、実際の物理ＲＢインデックスを指示する方式、または論理ＲＢインデックスを指示する方式で、各前記サブチャネルのスタートＲＢを指示し、各前記サブチャネルのスタートＲＢから、次の前記サブチャネルのスタートＲＢまでのすべての利用可能なＲＢは、前記サブチャネルに含まれるＲＢである。
前記サブチャネルインデックスを順番に定義し、前記サブチャネルインデックスに対応する前記サブチャネルに含まれるＲＢを一意に決定する。
【００２８】
オプションとして、前記システムブロードキャストメッセージ及び／又は前記上位層からのシグナリングによって前記サブチャネル設定を指示する場合に、同じ数のＲＢが含まれるサブチャネルを同一タイプに分け、各タイプのチャネルに含まれるＲＢの数、及び異なる数のＲＢが含まれるサブチャネルの合計タイプ数を指示し、指示の順番に従って各タイプの前記サブチャネルをシステムの利用可能なＲＢに順次対応させることによって、システムの前記サブチャネル設定を決定する。
前記サブチャネルインデックスを順番に定義し、前記サブチャネルインデックスに対応する前記サブチャネルに含まれるＲＢを一意に決定する。
【００２９】
オプションとして、異なるタイプの前記サブチャネルに含まれるＲＢの数、及び各タイプの前記サブチャネルの総数を指示することによって、システムの前記サブチャネル設定を決定する場合に、タイプの前記各チャネルに含まれるＲＢの数に対してインクリメント指示方法を用いて、現タイプの前記サブチャネルに含まれるＲＢの数の、前のタイプの前記サブチャネルに対する増加値を指示し、前記現タイプのサブチャネルのうちの各前記サブチャネルに含まれるＲＢの数を決定する。
【００３０】
オプションとして、システムにおいて、異なるリソースプール及び／又はサブフレームに用いられる複数の組の前記サブチャネル設定を同時に指示する。
【００３１】
本発明の別の態様によれば、システムの周波数領域リソースブロックＲＢを１つまたは複数のサブチャネルに分割してシステムのサブチャネル設定を達成し、各前記サブチャネルに含まれる前記ＲＢを重複させないことに用いられる設定モジュールと、前記サブチャネルごとに一意のサブチャネルインデックスを対応させ、対応する前記サブチャネルに含まれ、ユーザ端末の制御情報及び／又はデータ情報を運ぶためのＲＢを使用することを、前記サブチャネルインデックスによって指示することに用いられる指示モジュールと、を備えるリソース設定を実現する装置をさらに提供する。
【００３２】
オプションとして、前記サブチャネルは、いずれも周波数領域において１つまたは複数のＲＢを含み、時間領域において１つのサブフレームを含む。
【００３３】
オプションとして、前記サブチャネル設定は、連続する物理ＲＢにおける前記サブチャネルの分割を指示するために用いられ、または、前記サブチャネル設定は、論理的に連続するＲＢにおける前記サブチャネルの分割を指示するために用いられ、前記論理的に連続するＲＢは、物理ＲＢとマッピング関係が存在する。
【００３４】
オプションとして、前記サブチャネルが前記制御情報及びデータ情報を運ぶために用いられる場合に、前記制御情報を運ぶ方式は、以下のいずれかの項目を含む。
前記サブチャネルの時間領域リソースにおいて、前記制御情報がサブフレーム内のすべての利用可能なシンボルに運ばれてマッピングされ、前記サブチャネルの周波数領域リソースにおいて、前記制御情報が定められた１つまたは複数のＲＢに運ばれてマッピングされること。
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が前記サブチャネルに含まれるすべてのＲＢに運ばれてマッピングされること。
前記サブチャネルの時間領域リソースにおいて、前記制御情報がサブフレーム内の定められた１つまたは複数のシンボルに運ばれてマッピングされ、前記サブチャネルの周波数領域リソースにおいて、前記制御情報が定められた１つまたは複数のＲＢに運ばれてマッピングされること。
ここで、前記シンボルは、前記サブフレームのシングルキャリア周波数分割多重アクセス（ＳＣ−ＦＤＭＡ）シンボル、または直交周波数分割多重（ＯＦＤＭ）シンボルである。
【００３５】
オプションとして、前記サブチャネルが前記制御情報及びデータ情報を運ぶために用いられる場合に、または、前記サブチャネルが前記データ情報を運ぶために用いられる場合に、前記データ情報を運ぶ方式は、以下のいずれかの項目を含む。
前記サブチャネルの時間領域リソースにおいて、前記データ情報がサブフレーム内のすべての利用可能なシンボルに運ばれてマッピングされ、前記サブチャネルの周波数領域リソースにおいて、前記データ情報が定められた１つまたは複数のＲＢに運ばれてマッピングされること。
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が前記サブチャネルに含まれるすべてのＲＢに運ばれてマッピングされること。
前記サブチャネルの時間領域リソースにおいて、前記データ情報がサブフレーム内の定められた１つまたは複数のシンボルに運ばれてマッピングされ、前記サブチャネルの周波数領域リソースにおいて、前記データ情報が定められた１つまたは複数のＲＢに運ばれてマッピングされること。
【００３６】
オプションとして、前記サブチャネルがユーザ端末の制御情報及び／又はデータ情報を運ぶために用いられる場合に、前記サブチャネルに、前記ユーザ端末の制御情報を運ぶための制御情報リソースドメインと、前記ユーザ端末のデータ情報を運ぶためのデータ情報リソースドメインとが含まれる。
【００３７】
オプションとして、前記サブチャネルにおける制御情報リソースドメイン及びデータ情報リソースドメインに含まれるリソースとして、各前記サブチャネルのリソースにおいて、制御情報リソースドメインに含まれるリソース以外のリソースは、データチャネルリソースドメインに含まれるリソースである。
【００３８】
オプションとして、前記サブチャネルにおける情報リソースドメインを制御する方式は、システムを予め定義する方式と、システムブロードキャストメッセージによって指示する方式と、上位層からのシグナリングによって指示する方式との少なくとも一種を含む。
【００３９】
オプションとして、前記システムを予め定義する方式で前記サブチャネルにおける制御情報リソースドメインのリソース設定を指示する場合に、システムによって、前記サブチャネルに含まれる制御情報リソースドメインに含まれるリソースを予め定義する。
【００４０】
オプションとして、前記システムブロードキャストメッセージ及び／又は前記上位層からのシグナリングによって前記サブチャネルにおける制御情報リソースドメイン及びデータ情報リソースドメインのリソース設定を指示する場合に、システムブロードキャストメッセージ及び／又は上位層からのシグナリングによって、前記サブチャネルに含まれる制御情報リソースドメインに含まれるリソースを指示する。
【００４１】
オプションとして、前記サブチャネルの制御情報リソースドメインに含まれるリソースは、以下のいずれかの場合を含む。
前記サブチャネルの時間領域リソースにおいて、前記制御情報リソースドメインにサブフレーム内のすべての利用可能なシンボルが含まれ、前記サブチャネルの周波数領域リソースにおいて、前記制御情報リソースドメインに定められた１つまたは複数のＲＢが含まれる。
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインにすべてのＲＢが含まれる。
前記サブチャネルの時間領域リソースにおいて、前記制御情報リソースドメインにサブフレーム内の定められた１つまたは複数のシンボルが含まれ、前記サブチャネルの周波数領域リソースにおいて、前記制御情報リソースドメインに定められた１つまたは複数のＲＢが含まれる。
【００４２】
オプションとして、前記サブチャネルのデータ情報リソースドメインに含まれるリソースは、以下のいずれかの場合を含む。
前記サブチャネルの時間領域リソースにおいて、前記データ情報リソースドメインにサブフレーム内のすべての利用可能なシンボルが含まれ、前記サブチャネルの周波数領域リソースにおいて、前記データ情報リソースドメインに定められた１つまたは複数のＲＢが含まれる。
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインにすべてのＲＢが含まれる。
前記サブチャネルの時間領域リソースにおいて、前記データ情報リソースドメインにサブフレーム内の定められた１つまたは複数のシンボルが含まれ、前記サブチャネルの周波数領域リソースにおいて、前記データ情報リソースドメインに定められた１つまたは複数のＲＢが含まれる。
【００４３】
オプションとして、前記サブチャネル設定を指示する方式は、システムを予め定義する方式と、システムブロードキャストメッセージによって指示する方式と、上位層からのシグナリングによって指示する方式との少なくとも一種を含む。
【００４４】
オプションとして、前記システムを予め定義する方式で前記サブチャネル設定を指示する場合に、システムによって、各前記サブチャネルに含まれるＲＢの数及び位置を予め定義し、前記サブチャネルインデックスを順番に定義し、前記サブチャネルインデックスに対応する前記サブチャネルに含まれるＲＢを一意に決定する。
【００４５】
オプションとして、前記システムブロードキャストメッセージ及び／又は前記上位層からのシグナリングによって前記サブチャネル設定を指示する場合に、システムが利用可能なＲＢにおいて、システムブロードキャストメッセージ及び／又は上位層からのシグナリングによって、各前記サブチャネルに含まれるＲＢの数及び位置を指示し、前記サブチャネルインデックスを順番に定義し、前記サブチャネルインデックスに対応する前記サブチャネルに含まれるＲＢを一意に決定する。
【００４６】
オプションとして、前記システムブロードキャストメッセージ及び／又は前記上位層からのシグナリングによって前記サブチャネル設定を指示する場合に、前記システムの利用可能なＲＢリソースにおいて、各前記サブチャネルに同じ数のＲＢを設定し、各前記サブチャネルに含まれるＲＢの数を指示し、または、分割される前記サブチャネルの総数を指示すると共に、前記サブチャネルインデックスを順番に定義し、前記サブチャネルインデックスに対応する前記サブチャネルに含まれるＲＢを一意に決定する。
【００４７】
オプションとして、前記システムブロードキャストメッセージ及び／又は前記上位層からのシグナリングによって、前記サブチャネル設定を指示する場合に、前記システムの利用可能なＲＢリソースにおいて、ｍ個（ｍは、正の整数であり、前記システムの利用可能なＲＢリソースの総数よりも小さい）のＲＢにおける前記サブチャネル設定を指示し、前記ｍ個のＲＢにおける前記サブチャネル設定を前記システムの利用可能なＲＢにおいて順番に繰り返し拡張し、前記システム内のすべての利用可能なＲＢにおける前記サブチャネル設定を決定し、前記サブチャネルインデックスを順番に定義し、前記サブチャネルインデックスに対応する前記サブチャネルに含まれるＲＢを一意に決定する。
【００４８】
オプションとして、前記システムブロードキャストメッセージ及び／又は前記上位層からのシグナリングによって前記サブチャネル設定を指示する場合に、前記システムの利用可能なＲＢリソースにおいて、ビットマップ（ｂｉｔｍａｐ）シーケンスを用いて前記サブチャネル設定を指示する。ここで、前記ビットマップシーケンスの長さは、前記システムの利用可能なＲＢの数に等しく、前記ビットマップシーケンスにおける各ビットが前記システムにおける利用可能なＲＢに１対１対応する。
前記ビットマップシーケンスにおいて、「１」と示されたビットに対応するＲＢを１つの前記サブチャネルのスタートＲＢとし、「０」と示されたビットに対応するＲＢを１つ前の隣接ＲＢのサブチャネルと同じであるＲＢとし、または、
前記ビットマップシーケンスにおいて、「０」と示されたビットに対応するＲＢを１つの前記サブチャネルのスタートＲＢとし、「１」と示されたビットに対応するＲＢを１つ前の隣接ＲＢのサブチャネルと同じであるＲＢとする。
前記サブチャネルインデックスを順番に定義し、前記サブチャネルインデックスに対応する前記サブチャネルに含まれるＲＢを一意に決定する。
【００４９】
オプションとして、前記システムブロードキャストメッセージ及び／又は前記上位層からのシグナリングによって前記サブチャネル設定を指示する場合に、前記システムの利用可能なＲＢリソースにおいて、各前記サブチャネルのスタートＲＢの位置を指示する。ここでは、実際の物理ＲＢインデックスを指示する方式、または論理ＲＢインデックスを指示する方式で、各前記サブチャネルのスタートＲＢを指示し、各前記サブチャネルのスタートＲＢから、次の前記サブチャネルのスタートＲＢまでのすべての利用可能なＲＢは、前記サブチャネルに含まれるＲＢである。
前記サブチャネルインデックスを順番に定義し、前記サブチャネルインデックスに対応する前記サブチャネルに含まれるＲＢを一意に決定する。
【００５０】
オプションとして、前記システムブロードキャストメッセージ及び／又は前記上位層からのシグナリングによって前記サブチャネル設定を指示する場合に、同じ数のＲＢが含まれるサブチャネルを同一タイプに分け、各タイプのチャネルに含まれるＲＢの数、及び異なる数のＲＢが含まれるサブチャネルの合計タイプ数を指示し、指示の順番に従って各タイプの前記サブチャネルをシステムの利用可能なＲＢに順次対応させることによって、システムの前記サブチャネル設定を決定する。
前記サブチャネルインデックスを順番に定義し、前記サブチャネルインデックスに対応する前記サブチャネルに含まれるＲＢを一意に決定する。
【００５１】
オプションとして、異なるタイプの前記サブチャネルに含まれるＲＢの数、及び各タイプの前記サブチャネルの総数を指示することによって、システムの前記サブチャネル設定を決定する場合に、各タイプの前記チャネルに含まれるＲＢの数に対してインクリメント指示方法を用いて、現タイプの前記サブチャネルに含まれるＲＢの数の、前のタイプの前記サブチャネルに対する増加値を指示し、前記現タイプのサブチャネルのうちの各前記サブチャネルに含まれるＲＢの数を決定する。
【００５２】
オプションとして、システムにおいて、異なるリソースプール及び／又はサブフレームに用いられる複数の組の前記サブチャネル設定を同時に指示する。
【００５３】
別の態様において、本発明の実施例は、上記いずれか１項のリソース設定を実現する方法及び装置を実行するためのコンピュータ実行可能な指令が記憶されたコンピュータ読み取り可能な記録媒体を提供する。
【００５４】
本発明の実施例に係る手段によれば、システムの周波数領域リソースブロックＲＢを１つまたは複数のサブチャネルに分割してシステムのサブチャネル設定を達成し、各該サブチャネルに含まれる該ＲＢは重複せず、該サブチャネルごとに一意のサブチャネルインデックスを対応させ、対応する該サブチャネルに含まれ、ユーザ端末の制御情報及び／又はデータ情報を運ぶためのＲＢを使用することを、サブチャネルインデックスによって指示し、Ｖ２Ｖ通信システムにおいて設定する時間領域／周波数領域リソースを指示するオーバーヘッドが大きいという問題を解決し、設定する時間領域／周波数領域リソースを指示するオーバーヘッドが低減する。
【００５５】
図面および詳細な説明を参照して理解することで、他の態様も分かり得る。
【図面の簡単な説明】
【００５６】
ここで説明する図面は、本発明をさらに理解するために用いられ、本出願の一部となる。本発明の例示的な実施例及びその説明は、本発明を説明するためのものに過ぎず、本発明を限定するものではない。
【図１】図１は、本発明の関連技術に係るＤ２Ｄ通信構造の概略図である。
【図２】図２は、本発明の実施例による、リソース設定を実現する方法フローチャートである。
【図３】図３は、本発明の実施例による、リソース設定を実現する装置の構造ブロック図である。
【図４】図４は、関連技術によるＬＴＥシステムのフレーム構造の概略図である。
【図５】図５は、関連技術によるＬＴＥシステムのリソースブロックＲＢの構造の概略図である。
【図６】図６は、本発明の好ましい実施例による、周波数領域リソースを複数のサブチャネルに分割するサブチャネル設定方式の概略図である。
【図７】図７は、本発明の好ましい実施例による、サブチャネル設定が連続する物理ＲＢリソース及び論理的に連続するＲＢリソースにマッピングされることを示す概略図である。
【図８ａ】図８ａは、本発明の好ましい実施例による、制御情報とデータ情報が１つのサブチャネルに同時に運ばれる場合の制御情報の運び・マッピング方式の概略図１である。
【図８ｂ】図８ｂは、本発明の好ましい実施例による、制御情報とデータ情報が１つのサブチャネルに同時に運ばれる場合の制御情報の運び・マッピング方式の概略図２である。
【図８ｃ】図８ｃは、本発明の好ましい実施例による、制御情報とデータ情報が１つのサブチャネルに同時に運ばれる場合の制御情報の運び・マッピング方式の概略図３である。
【図９】図９は、本発明の好ましい実施例の方法３による、サブチャネル設定を指示する概略図である。
【図１０ａ】図１０ａは、本発明の好ましい実施例の方法３による、サブチャネル設定を指示する概略図１である。
【図１０ｂ】図１０ｂは、本発明の好ましい実施例の方法３による、サブチャネル設定を指示する概略図２である。
【図１１】図１１は、本発明の好ましい実施例による、実施例８のサブチャネル設定の概略図１である。
【図１２】図１２は、本発明の好ましい実施例による、実施例８のサブチャネル設定の概略図２である。
【図１３】図１３は、本発明の好ましい実施例による、実施例８のサブチャネルにおいて制御情報リソースドメインの概略図である。
【図１４ａ】図１４ａは、本発明の好ましい実施例による、実施例１０のサブチャネルベアラ制御情報とデータ情報の概略図である。
【図１４ｂ】図１４ｂは、本発明の好ましい実施例による、実施例１０のサブチャネルベアラデータ情報の概略図である。
【図１４ｃ】図１４ｃは、本発明の好ましい実施例による、実施例１０のサブチャネルベアラ制御情報とデータ情報の概略図である。
【発明を実施するための形態】
【００５７】
以下、図面を参照しながら実施例と併せて本発明について詳しく説明する。なお、矛盾しない限り、本出願に係る実施例及び実施例における特徴は互いに組み合され得る。
【００５８】
なお、本発明の明細書、特許請求の範囲及び上記図面に記載の「第１」、「第２」等の用語は、類似の対象を区別するために使用され、必ずしも特定の順序又は優先順位を示すものではない。
【００５９】
本実施例において、リソース設定を実現する方法を提供する。図２は、本発明の実施例によるリソース設定を実現する方法フローチャートである。図２に示すように、該フローは、以下のステップを含む。
ステップＳ２０２において、システムの周波数領域リソースブロック（ＲＢ）を１つまたは複数のサブチャネルに分割してシステムのサブチャネル設定を達成し、各サブチャネルに含まれるＲＢは重複しない。ステップＳ２０４において、サブチャネルごとに一意のサブチャネルインデックスを対応させ、対応する該サブチャネルに含まれ、ユーザ端末の制御情報及び／又はデータ情報を運ぶためのＲＢを使用することを、該サブチャネルインデックスによって指示する。
【００６０】
上記のステップによって、システムのＲＢを１つまたは複数のサブチャネルに分割してシステムのサブチャネル設定を達成し、各サブチャネルに含まれるＲＢは重複せず、該サブチャネルごとに一意のサブチャネルインデックスを対応させ、対応する該サブチャネルに含まれ、ユーザ端末の制御情報及び／又はデータ情報を運ぶためのＲＢを使用することを、該サブチャネルインデックスによって指示し、Ｖ２Ｖ通信システムにおいて設定する時間領域／周波数領域リソースを指示するオーバーヘッドが大きいという問題を解決し、設定する時間領域／周波数領域リソースを指示するオーバーヘッドが低減する。
【００６１】
本発明の実施例において、該サブチャネルは、いずれも周波数領域において１つまたは複数のＲＢを含み、時間領域において１つのサブフレームを含む。
【００６２】
本発明の実施例において、該サブチャネル設定は、連続する物理ＲＢにおける該サブチャネルの分割を指示するために用いられ、または、該サブチャネル設定は、論理的に連続するＲＢにおける該サブチャネルの分割を指示するために用いられる。ここで、該論理的に連続するＲＢには、物理ＲＢとマッピング関係が存在する。
【００６３】
本発明の実施例において、該サブチャネルが該制御情報及びデータ情報を運ぶために用いられる場合に、該制御情報を運ぶ方式は、以下のいずれかの項目を含む。
該サブチャネルの時間領域リソースにおいて、該制御情報がサブフレーム内のすべての利用可能なシンボルに運ばれてマッピングされ、該サブチャネルの周波数領域リソースにおいて、該制御情報が定められた１つまたは複数のＲＢに運ばれてマッピングされること。
該サブチャネルの時間領域リソースにおいて、該制御情報がサブフレーム内の定められた１つまたは複数のシンボルに運ばれてマッピングされ、該サブチャネルの周波数領域リソースにおいて、該制御情報が該サブチャネルに含まれるすべてのＲＢに運ばれてマッピングされること。
該サブチャネルの時間領域リソースにおいて、該制御情報がサブフレーム内の定められた１つまたは複数のシンボルに運ばれてマッピングされ、該サブチャネルの周波数領域リソースにおいて、該制御情報が定められた１つまたは複数のＲＢに運ばれてマッピングされること。
ここで、該シンボルは、該サブフレームのシングルキャリア周波数分割多重アクセス（ＳＣ−ＦＤＭＡ）シンボル、または直交周波数分割多重（ＯＦＤＭ）シンボルである。
【００６４】
本発明の実施例において、該サブチャネル設定を指示する方式は、システムを予め定義する方式と、システムブロードキャストメッセージによって指示する方式と、上位層からのシグナリングによって指示する方式との少なくとも一種を含む。
【００６５】
本発明の実施例において、該システムを予め定義する方式で該サブチャネル設定を指示する場合に、システムによって、各該サブチャネルに含まれるＲＢの数及び位置を予め定義し、該サブチャネルインデックスを順番に定義し、該サブチャネルインデックスに対応する該サブチャネルに含まれるＲＢを一意に決定する。
【００６６】
本発明の実施例において、該システムブロードキャストメッセージ及び／又は該上位層からのシグナリングによって該サブチャネル設定を指示する場合に、システムが利用可能なＲＢにおいて、システムブロードキャストメッセージ及び／又は上位層からのシグナリングによって、各該サブチャネルに含まれるＲＢの数及び位置を指示し、該サブチャネルインデックスを順番に定義し、該サブチャネルインデックスに対応する該サブチャネルに含まれるＲＢを一意に決定する。
【００６７】
本発明の実施例において、該システムブロードキャストメッセージ及び／又は該上位層からのシグナリングによって該サブチャネル設定を指示する場合に、該システムの利用可能なＲＢリソースにおいて、各該サブチャネルに同じ数のＲＢを設定し、各該サブチャネルに含まれるＲＢの数を指示し、または、分割される該サブチャネルの総数を指示すると共に、該サブチャネルインデックスを順番に定義し、該サブチャネルインデックスに対応する該サブチャネルに含まれるＲＢを一意に決定する。
【００６８】
本発明の実施例において、該システムブロードキャストメッセージ及び/又は該上位層からのシグナリングによって、該サブチャネル設定を指示する場合に、該システムの利用可能なＲＢリソースにおいて、ｍ個（ｍは、正の整数であり、前記システムの利用可能なＲＢリソースの総数よりも小さい）のＲＢにおける該サブチャネル設定を指示し、該ｍ個のＲＢにおける該サブチャネル設定を該システムの利用可能なＲＢにおいて順番に繰り返し拡張し、該システム内のすべての利用可能なＲＢにおける該サブチャネル設定を決定し、該サブチャネルインデックスを順番に定義し、該サブチャネルインデックスに対応する該サブチャネルに含まれるＲＢを一意に決定する。
【００６９】
本発明の実施例において、該システムブロードキャストメッセージ及び/又は該上位層からのシグナリングによって該サブチャネル設定を指示する場合に、該システムの利用可能なＲＢリソースにおいて、ビットマップ（ｂｉｔｍａｐ）シーケンスを用いて該サブチャネル設定を指示する。ここで、該ビットマップシーケンスの長さは、該システムの利用可能なＲＢの数に等しく、該ビットマップシーケンスにおける各ビットが該システムにおける利用可能なＲＢに１対１対応する。
該ビットマップシーケンスにおいて、「１」と示されたビットに対応するＲＢを１つの該サブチャネルのスタートＲＢとし、「０」と示されたビットに対応するＲＢを１つ前の隣接ＲＢのサブチャネルと同じであるＲＢとし、または、
該ビットマップシーケンスにおいて、「０」と示されたビットに対応するＲＢを１つの該サブチャネルのスタートＲＢとし、「１」と示されたビットに対応するＲＢを１つ前の隣接ＲＢのサブチャネルと同じであるＲＢとする。
該サブチャネルインデックスを順番に定義し、該サブチャネルインデックスに対応する該サブチャネルに含まれるＲＢを一意に決定する。
【００７０】
本発明の実施例において、該システムブロードキャストメッセージ及び／又は該上位層からのシグナリングによって該サブチャネル設定を指示する場合に、該システムの利用可能なＲＢリソースにおいて、各該サブチャネルのスタートＲＢの位置を指示する。ここで、実際の物理ＲＢインデックスを指示する方式、または論理ＲＢインデックスを指示する方式で、各該サブチャネルのスタートＲＢを指示し、各該サブチャネルのスタートＲＢから、次の該サブチャネルのスタートＲＢまでのすべての利用可能なＲＢは、該サブチャネルに含まれるＲＢである。
該サブチャネルインデックスを順番に定義し、該サブチャネルインデックスに対応する該サブチャネルに含まれるＲＢを一意に決定する。
【００７１】
本発明の実施例において、該システムブロードキャストメッセージ及び／又は該上位層からのシグナリングによって該サブチャネル設定を指示する場合に、同じ数のＲＢが含まれるサブチャネルを同一タイプに分け、各タイプのチャネルに含まれるＲＢの数、及び異なる数のＲＢが含まれるサブチャネルの合計タイプ数を指示し、指示の順番に従って各タイプの該サブチャネルをシステムの利用可能なＲＢに順次対応させることによって、システムの該サブチャネル設定を決定する。
該サブチャネルインデックスを順番に定義し、該サブチャネルインデックスに対応する該サブチャネルに含まれるＲＢを一意に決定する。
【００７２】
本発明の実施例において、異なるタイプの該サブチャネルに含まれるＲＢの数、及び各タイプの該サブチャネルの総数を指示することによって、システムの該サブチャネル設定を決定する場合に、該各タイプのチャネルに含まれるＲＢの数に対してインクリメント指示方法を用いて、現タイプの該サブチャネルに含まれるＲＢの数の、前のタイプの該サブチャネルに対する増加値を指示し、該現タイプのサブチャネルのうちの各該サブチャネルに含まれるＲＢの数を決定する。
【００７３】
本発明の実施例において、システムでは、異なるリソースプール及び／又はサブフレームに用いられる複数の組の該サブチャネル設定を同時に指示する。
【００７４】
本発明の実施例において、該サブチャネルが該制御情報及びデータ情報を運ぶために用いられる場合、または、該サブチャネルが該データ情報を運ぶために用いられる場合に、該データ情報を運ぶ方式は、以下のいずれかの項目を含む。
該サブチャネルの時間領域リソースにおいて、該データ情報がサブフレーム内のすべての利用可能なシンボルに運ばれてマッピングされ、該サブチャネルの周波数領域リソースにおいて、該データ情報が定められた１つまたは複数のＲＢに運ばれてマッピングされること。
該サブチャネルの時間領域リソースにおいて、該データ情報がサブフレーム内の定められた１つまたは複数のシンボルに運ばれてマッピングされ、該サブチャネルの周波数領域リソースにおいて、該データ情報が該サブチャネルに含まれるすべてのＲＢに運ばれてマッピングされること。
該サブチャネルの時間領域リソースにおいて、該データ情報がサブフレーム内の定められた１つまたは複数のシンボルに運ばれてマッピングされ、該サブチャネルの周波数領域リソースにおいて、該データ情報が定められた１つまたは複数のＲＢに運ばれてマッピングされること。
【００７５】
本発明の実施例において、該サブチャネルがユーザ端末の制御情報及び／又はデータ情報を運ぶために用いられる場合に、該サブチャネルに、該ユーザ端末の制御情報を運ぶための制御情報リソースドメインと、該ユーザ端末のデータ情報を運ぶためのデータ情報リソースドメインとが含まれる。
【００７６】
本発明の実施例において、該サブチャネルにおける制御情報リソースドメイン及びデータ情報リソースドメインに含まれるリソースとして、各該サブチャネルのリソースにおいて、制御情報リソースドメインに含まれるリソース以外のリソースは、データチャネルリソースドメインに含まれるリソースである。
【００７７】
本発明の実施例において、該サブチャネルにおける情報リソースドメインを制御する方式は、システムを予め定義する方式と、システムブロードキャストメッセージによって指示する方式と、上位層からのシグナリングによって指示する方式との少なくとも一種を含む。
【００７８】
本発明の実施例において、該システムを予め定義する方式で該サブチャネルにおける制御情報リソースドメインのリソース設定を指示する場合に、システムによって、該サブチャネルに含まれる制御情報リソースドメインに含まれるリソースを予め定義する。
【００７９】
本発明の実施例において、該システムブロードキャストメッセージ及び／又は該上位層からのシグナリングによって該サブチャネルにおける制御情報リソースドメイン及びデータ情報リソースドメインのリソース設定を指示する場合に、システムブロードキャストメッセージ及び／又は上位層からのシグナリングによって、該サブチャネルに含まれる制御情報リソースドメインに含まれるリソースを指示する。
【００８０】
本発明の実施例において、該サブチャネルの制御情報リソースドメインに含まれるリソースは、以下のいずれかの場合を含む。
該サブチャネルの時間領域リソースにおいて、該制御情報リソースドメインにサブフレーム内のすべての利用可能なシンボルが含まれ、該サブチャネルの周波数領域リソースにおいて、制御情報リソースドメインに定められた１つまたは複数のＲＢが含まれる。
該サブチャネルの時間領域リソースにおいて、該制御情報リソースドメインにサブフレーム内の定められた１つまたは複数のシンボルが含まれ、該サブチャネルの周波数領域リソースにおいて、該制御情報リソースドメインにすべてのＲＢが含まれる。
該サブチャネルの時間領域リソースにおいて、該制御情報リソースドメインにサブフレーム内の定められた１つまたは複数のシンボルが含まれ、該サブチャネルの周波数領域リソースにおいて、該制御情報リソースドメインに定められた１つまたは複数のＲＢが含まれる。
【００８１】
本発明の実施例において、該サブチャネルのデータ情報リソースドメインに含まれるリソースは、以下のいずれかの場合を含む。
該サブチャネルの時間領域リソースにおいて、該データ情報リソースドメインにサブフレーム内のすべての利用可能なシンボルが含まれ、該サブチャネルの周波数領域リソースにおいて、該データ情報リソースドメインに定められた１つまたは複数のＲＢが含まれる。
該サブチャネルの時間領域リソースにおいて、該データ情報リソースドメインにサブフレーム内の定められた１つまたは複数のシンボルが含まれ、該サブチャネルの周波数領域リソースにおいて、該データ情報リソースドメインにすべてのＲＢが含まれる。
該サブチャネルの時間領域リソースにおいて、該データ情報リソースドメインにサブフレーム内の定められた１つまたは複数のシンボルが含まれ、該サブチャネルの周波数領域リソースにおいて、該データ情報リソースドメインに定められた１つまたは複数のＲＢが含まれる。
【００８２】
本実施例において、リソース設定を実現する装置をさらに提供する。該装置は、上記の実施例および好ましい実施形態を実現するために用いられ、既に説明したものは、説明を省略する。以下に使用する用語「モジュール」は、所定の機能のソフトウェアおよび/またはハードウェアの組み合わせを実現することができる。以下の実施例によって説明する装置は、ソフトウェアで実現されることが好ましいが、ハードウェア、またはソフトウェアとハードウェアの組み合わせで実現されることも可能である。
【００８３】
図３は、本発明の実施例によるリソース設定を実現する装置の構造ブロック図である。図３に示すように、該装置は、システムの周波数領域リソースブロックＲＢを１つまたは複数のサブチャネルに分割してシステムのサブチャネル設定を達成し、各該サブチャネルに含まれる該ＲＢを重複させないように構成される設定モジュール３２と、設定モジュール３２に接続され、該サブチャネルごとに一意のサブチャネルインデックスを対応させ、対応する該サブチャネルに含まれ、ユーザ端末の制御情報及び／又はデータ情報を運ぶためのＲＢを使用することを、該サブチャネルインデックスによって指示するように構成される指示モジュール３４と、を備える。
【００８４】
上記の装置によって、設定モジュール３２は、システムの周波数領域リソースブロックＲＢを１つまたは複数のサブチャネルに分割してシステムのサブチャネル設定を達成し、該サブチャネルに含まれる該ＲＢを重複させないように構成され、指示モジュール３４は、該サブチャネルごとに一意のサブチャネルインデックスを対応させ、対応する該サブチャネルに含まれ、ユーザ端末の制御情報及び／又はデータ情報を運ぶためのＲＢを使用することを、該サブチャネルインデックスによって指示するように構成される。Ｖ２Ｖ通信システムにおいて、設定する時間領域／周波数領域リソースを指示するオーバーヘッドが大きいという問題を解決し、設定する時間領域／周波数領域リソースを指示するオーバーヘッドが低減する。
【００８５】
本発明の実施例において、該サブチャネルは、いずれも周波数領域において１つまたは複数のＲＢを含み、時間領域において１つのサブフレームを含む。
【００８６】
本発明の実施例において、該サブチャネル設定は、連続する物理ＲＢにおける該サブチャネルの分割を指示するために用いられるか、または、該サブチャネル設定は、論理的に連続するＲＢにおける該サブチャネルの分割を指示するために用いられる。ここで、該論理的に連続するＲＢには、物理ＲＢとマッピング関係が存在する。
【００８７】
本発明の実施例において、該サブチャネルが該制御情報及びデータ情報を運ぶために用いられる場合に、該制御情報を運ぶ方式は、以下のいずれかの項目を含む。
該サブチャネルの時間領域リソースにおいて、該制御情報がサブフレーム内のすべての利用可能なシンボルに運ばれてマッピングされ、該サブチャネルの周波数領域リソースにおいて、該制御情報が定められた１つまたは複数のＲＢに運ばれてマッピングされること。
該サブチャネルの時間領域リソースにおいて、該制御情報がサブフレーム内の定められた１つまたは複数のシンボルに運ばれてマッピングされ、該サブチャネルの周波数領域リソースにおいて、該制御情報が該サブチャネルに含まれるすべてのＲＢに運ばれてマッピングされること。
該サブチャネルの時間領域リソースにおいて、該制御情報がサブフレーム内の定められた１つまたは複数のシンボルに運ばれてマッピングされ、該サブチャネルの周波数領域リソースにおいて、該制御情報が定められた１つまたは複数のＲＢに運ばれてマッピングされること。
ここで、該シンボルは、該サブフレームのシングルキャリア周波数分割多重アクセス（ＳＣ−ＦＤＭＡ）シンボル、または直交周波数分割多重（ＯＦＤＭ）シンボルである。
【００８８】
本発明の実施例において、該サブチャネル設定を指示する方式は、システムを予め定義する方式と、システムブロードキャストメッセージによって指示する方式と、上位層からのシグナリングによって指示する方式との少なくとも一種を含む。
【００８９】
本発明の実施例において、該システムを予め定義する方式で該サブチャネル設定を指示する場合に、システムによって、各該サブチャネルに含まれるＲＢの数及び位置を予め定義し、該サブチャネルインデックスを順番に定義し、該サブチャネルインデックスに対応する該サブチャネルに含まれるＲＢを一意に決定する。
【００９０】
本発明の実施例において、該システムブロードキャストメッセージ及び／又は該上位層からのシグナリングによって該サブチャネル設定を指示する場合に、システムが利用可能なＲＢにおいて、システムブロードキャストメッセージ及び／又は上位層からのシグナリングにより各該サブチャネルに含まれるＲＢの数及び位置を指示し、該サブチャネルインデックスを順番に定義し、該サブチャネルインデックスに対応する該サブチャネルに含まれるＲＢを一意に決定する。
【００９１】
本発明の実施例において、該システムブロードキャストメッセージ及び／又は該上位層からのシグナリングによって該サブチャネル設定を指示する場合に、該システムの利用可能なＲＢリソースにおいて、各該サブチャネルに同じ数のＲＢを設定し、各該サブチャネルに含まれるＲＢの数を指示するか、または、分割される該サブチャネルの総数を指示すると共に、該サブチャネルインデックスを順番に定義し、該サブチャネルインデックスに対応する該サブチャネルに含まれるＲＢを一意に決定する。
【００９２】
本発明の実施例において、該システムブロードキャストメッセージ及び／又は該上位層からのシグナリングによって、該サブチャネル設定を指示する場合に、該システムの利用可能なＲＢリソースにおいて、ｍ個（ｍは、正の整数であり、前記システムの利用可能なＲＢリソースの総数よりも小さい）のＲＢにおける該サブチャネル設定を指示し、該ｍ個のＲＢにおける該サブチャネル設定を該システムの利用可能なＲＢにおいて順番に繰り返し拡張し、該システム内のすべての利用可能なＲＢにおける該サブチャネル設定を決定し、該サブチャネルインデックスを順番に定義し、該サブチャネルインデックスに対応する該サブチャネルに含まれるＲＢを一意に決定する。
【００９３】
本発明の実施例において、該システムブロードキャストメッセージ及び／又は該上位層からのシグナリングによって該サブチャネル設定を指示する場合に、該システムの利用可能なＲＢリソースにおいて、ビットマップ（ｂｉｔｍａｐ）シーケンスを用いて該サブチャネル設定を指示する。ここで、該ビットマップシーケンスの長さは、該システムの利用可能なＲＢの数に等しく、該ビットマップシーケンスにおける各ビットが該システムにおける利用可能なＲＢに１対１対応する。
該ビットマップシーケンスにおいて、「１」と示されたビットに対応するＲＢを１つの該サブチャネルのスタートＲＢとし、「０」と示されたビットに対応するＲＢを１つ前の隣接ＲＢのサブチャネルと同じであるＲＢとするか、または、
該ビットマップシーケンスにおいて、「０」と示されたビットに対応するＲＢを１つの該サブチャネルのスタートＲＢとし、「１」と示されたビットに対応するＲＢを１つ前の隣接ＲＢのサブチャネルと同じであるＲＢとする。
該サブチャネルインデックスを順番に定義し、該サブチャネルインデックスに対応する該サブチャネルに含まれるＲＢを一意に決定する。
【００９４】
本発明の実施例において、該システムブロードキャストメッセージ及び／又は該上位層からのシグナリングによって該サブチャネル設定を指示する場合に、該システムの利用可能なＲＢリソースにおいて、各該サブチャネルのスタートＲＢの位置を指示する。ここでは、実際の物理ＲＢインデックスを指示する方式、または論理ＲＢインデックスを指示する方式で、各該サブチャネルのスタートＲＢを指示し、各該サブチャネルのスタートＲＢから、次の該サブチャネルのスタートＲＢまでのすべての利用可能なＲＢは、該サブチャネルに含まれるＲＢである。
該サブチャネルインデックスを順番に定義し、該サブチャネルインデックスに対応する該サブチャネルに含まれるＲＢを一意に決定する。
【００９５】
本発明の実施例において、該システムブロードキャストメッセージ及び／又は該上位層からのシグナリングによって該サブチャネル設定を指示する場合に、同じ数のＲＢが含まれるサブチャネルを同一タイプに分け、各タイプのチャネルに含まれるＲＢの数、及び異なる数のＲＢが含まれるサブチャネルの合計タイプ数を指示し、指示の順番に従って各タイプの該サブチャネルをシステムの利用可能なＲＢに順次対応させることによって、システムの該サブチャネル設定を決定する。
該サブチャネルインデックスを順番に定義し、該サブチャネルインデックスに対応する該サブチャネルに含まれるＲＢを一意に決定する。
【００９６】
本発明の実施例において、異なるタイプの該サブチャネルに含まれるＲＢの数、及び各タイプの該サブチャネルの総数を指示することによって、システムの該サブチャネル設定を決定する場合に、該各タイプのチャネルに含まれるＲＢの数に対してインクリメント指示方法を用いて、現タイプの該サブチャネルに含まれるＲＢの数の、前のタイプの該サブチャネルに対する増加値を指示し、該現タイプのサブチャネルのうちの各該サブチャネルに含まれるＲＢの数を決定する。
【００９７】
本発明の実施例において、システムにおいて、異なるリソースプール及び／又はサブフレームに用いられる複数の組の該サブチャネル設定を同時に指示する。
【００９８】
本発明の実施例において、該サブチャネルが該制御情報及びデータ情報を運ぶために用いられる場合、または、該サブチャネルが該データ情報を運ぶために用いられる場合に、該データ情報を運ぶ方式は、以下のいずれかの項目を含む。
該サブチャネルの時間領域リソースにおいて、該データ情報がサブフレーム内のすべての利用可能なシンボルに運ばれてマッピングされ、該サブチャネルの周波数領域リソースにおいて、該データ情報が定められた１つまたは複数のＲＢに運ばれてマッピングされること。
該サブチャネルの時間領域リソースにおいて、該データ情報がサブフレーム内の定められた１つまたは複数のシンボルに運ばれてマッピングされ、該サブチャネルの周波数領域リソースにおいて、該データ情報が該サブチャネルに含まれるすべてのＲＢに運ばれてマッピングされること。
該サブチャネルの時間領域リソースにおいて、該データ情報がサブフレーム内の定められた１つまたは複数のシンボルに運ばれてマッピングされ、該サブチャネルの周波数領域リソースにおいて、該データ情報が定められた１つまたは複数のＲＢに運ばれてマッピングされること。
【００９９】
本発明の実施例において、該サブチャネルがユーザ端末の制御情報及び／又はデータ情報を運ぶために用いられる場合に、該サブチャネルに、該ユーザ端末の制御情報を運ぶための制御情報リソースドメインと、該ユーザ端末のデータ情報を運ぶためのデータ情報リソースドメインとが含まれる。
【０１００】
本発明の実施例において、該サブチャネルにおける制御情報リソースドメイン及びデータ情報リソースドメインに含まれるリソースとして、各該サブチャネルのリソースにおいて、制御情報リソースドメインに含まれるリソース以外のリソースは、データチャネルリソースドメインに含まれるリソースである。
【０１０１】
本発明の実施例において、該サブチャネルにおける情報リソースドメインを制御する方式は、システムを予め定義する方式と、システムブロードキャストメッセージによって指示する方式と、上位層からのシグナリングによって指示する方式との少なくとも一種を含む。
【０１０２】
本発明の実施例において、該システムを予め定義する方式で該サブチャネルにおける制御情報リソースドメインのリソース設定を指示する場合に、システムによって、該サブチャネルに含まれる制御情報リソースドメインに含まれるリソースを予め定義する。
【０１０３】
本発明の実施例において、該システムブロードキャストメッセージ及び／又は該上位層からのシグナリングによって該サブチャネルにおける制御情報リソースドメイン及びデータ情報リソースドメインのリソース設定を指示する場合に、システムブロードキャストメッセージ及び／又は上位層からのシグナリングによって、該サブチャネルに含まれる制御情報リソースドメインに含まれるリソースを指示する。
【０１０４】
本発明の実施例において、該サブチャネルの制御情報リソースドメインに含まれるリソースは、以下のいずれかの場合を含む。
該サブチャネルの時間領域リソースにおいて、該制御情報リソースドメインにサブフレーム内のすべての利用可能なシンボルが含まれ、該サブチャネルの周波数領域リソースにおいて、該制御情報リソースドメインに定められた１つまたは複数のＲＢが含まれる。
該サブチャネルの時間領域リソースにおいて、該制御情報リソースドメインにサブフレーム内の定められた１つまたは複数のシンボルが含まれ、該サブチャネルの周波数領域リソースにおいて、該制御情報リソースドメインにすべてのＲＢが含まれる。
該サブチャネルの時間領域リソースにおいて、該制御情報リソースドメインにサブフレーム内の定められた１つまたは複数のシンボルが含まれ、該サブチャネルの周波数領域リソースにおいて、該制御情報リソースドメインに定められた１つまたは複数のＲＢが含まれる。
【０１０５】
本発明の実施例において、該サブチャネルのデータ情報リソースドメインに含まれるリソースは、以下のいずれかの場合を含む。
該サブチャネルの時間領域リソースにおいて、該データ情報リソースドメインにサブフレーム内のすべての利用可能なシンボルが含まれ、該サブチャネルの周波数領域リソースにおいて、該データ情報リソースドメインに定められた１つまたは複数のＲＢが含まれる。
該サブチャネルの時間領域リソースにおいて、該データ情報リソースドメインにサブフレーム内の定められた１つまたは複数のシンボルが含まれ、該サブチャネルの周波数領域リソースにおいて、該データ情報リソースドメインにすべてのＲＢが含まれる。
該サブチャネルの時間領域リソースにおいて、該データ情報リソースドメインにサブフレーム内の定められた１つまたは複数のシンボルが含まれ、該サブチャネルの周波数領域リソースにおいて、該データ情報リソースドメインに定められた１つまたは複数のＲＢが含まれる。
【０１０６】
以下、好ましい実施例および実施形態に関連して本発明を詳細に説明する。
【０１０７】
本発明の好ましい実施例は、リソース設定の方法及装置を提供する。利用可能な周波数領域内のリソースブロックＲＢ設定を指示することによって、制御情報及び／又はデータ情報を運ぶために用いられるサブチャネル（ｓｕｂ−ｃｈａｎｎｅｌ）リソースを構成し、リソース指示オーバヘッドを削減し、リソース使用の衝突確率を低減し、システムリソースの利用率を向上し、ブラインド検出の複雑さを削減するなどの効果を達成する。
【０１０８】
ネットワーク側に、進化型基地局（ｅｖｏｌｖｅｄ  ＮｏｄｅＢ、ｅＮＢと略称する）と、中継局（Ｒｅｌａｙ  Ｎｏｄｅ、ＲＮと略称する）と、セル協調エンティティ（Ｍｕｌｔｉ−ｃｅｌｌ  ｃｏｏｒｄｉｎａｔｉｏｎ  Ｅｎｔｉｔｙ、ＭＣＥと略称する）と、ゲートウェイ（ＧａｔｅＷａｙ、ＧＷと略称する）と、モビリティ管理エンティティ（Ｍｏｂｉｌｅ  Ｍａｎａｇｅｍｅｎｔ  Ｅｎｔｉｔｙ、ＭＭＥと略称する）と、進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＥＵＴＲＡＮと略称する）オペレイションアドミニストレーション及びメンテナンス（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭと略称する）管理器とのうちの1つ又は複数のエンティティが含まれる。以下、ｅＮＢをネットワーク側のエンティティとする例として説明する。
【０１０９】
従来のセルラ通信システムにおいて、ＵＥの無線リソースは、進化型基地局ｅＮＢによって統括的にスケジューリングされ、ｅＮＢは、ＵＥの下りまたは上りリソースの設定を指示し、ＵＥは、ｅＮＢの設定指示に従って対応する下りリソースにおいてｅＮＢからのデータシグナルを受信するか、上りリソースにおいてｅＮＢに対してシグナルを送信する。ＬＴＥシステにおいて、無線リソースは、時間領域において無線フレームごとにリソースを分割し、各無線フレーム、１０ｍｓであり、１０個のサブフレームが含まれ、各サブフレームは、１ｍｓであり、０．５ｍｓの２つのスロットｓｌｏｔに分割される。図４は、ＬＴＥシステムのフレーム構造の概略図である。システムのフレーム構造にノーマルサイクリックプリフィックス（Ｎｏｒｍａｌ  Ｃｙｃｌｉｃ  Ｐｒｅｆｉｘ、Ｎｏｒｍａｌ  ＣＰと略称する）が採用され、各サブフレームに１４個のシングルキャリア周波数分割多重アクセス（Ｓｉｎｇｌｅ−ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡと略称する）シンボル、または直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称する）シンボルが含まれ、各ｓｌｏｔに７個のシンボルが含まれる。システムのフレーム構造に拡張サイクリックプリフィックス（Ｅｘｔｅｎｄｅｄ  Ｃｙｃｌｉｃ  Ｐｒｅｆｉｘ、Ｅｘｔｅｎｄｅｄ  ＣPと略称する）が採用される場合、各サブフレームに１２個のシンボルが含まれ、各ｓｌｏｔに６個のシンボルが含まれる。周波数領域において、サブキャリアごとにリソースを分割し、各サブキャリアに１５ｋＨｚまたは７．５ｋＨｚのリソースが含まれる。上記の時間領域と周波数領域リソース単位によれば、ｅＮＢのＵＥに対して時間・周波数リソースをスケジューリングする場合の最小単位がリソースブロック（Ｒｅｓｏｕｒｃｅ  Ｂｌｏｃｋ、ＲＢと略称する）であり、ＲＢは、時間領域における1つのｓｌｏｔとし、周波数領域において連続する（１）式で示す個数のサブキャリアとし、（２）式で示す値である。図５は、ＬＴＥシステムのリソースブロックＲＢの構造の概略図である。ｅＮＢは、ＵＥの要求に従って、リソースを柔軟に動的スケジューリングして設定することができる。
【０１１０】
【数１】
2019510396.tif 000003
【０１１１】
ＬＴＥに基づくＤ２Ｄ通信システムにおいて、システム上りサブフレームを物理サイドリンク共有チャネルＰＳＳＣＨ（Ｐｈｙｓｉｃａｌ  Ｓｉｄｅｌｉｎｋ  Ｓｈａｒｅｄ  Ｃｈａｎｎｅｌ）サブフレームとし、Ｄ２Ｄデータを伝送することに用いる。Ｄ２Ｄ送信端のＵＥは、サイドリンク（Ｓｉｄｅｌｉｎｋ、すなわちＤ２Ｄリンク）制御情報ＳＣＩ（Ｓｉｄｅｌｉｎｋ  Ｃｏｎｔｒｏｌ  Ｉｎｆｏｒｍａｔｉｏｎ）において使用するＰＳＳＣＨリソースを指示する。Ｖ２Ｖシステムは、Ｄ２Ｄ通信方式の特別な適用として、Ｄ２Ｄ通信方式を使用することができ、すなわちＳＣＩ情報を採用して対応するデータチャネルリソース設定を指示し、対応するデータチャネルリソースにおいてＶ２Ｖデータ情報を伝送する。
【０１１２】
Ｖ２Ｖなどの特別な適用要求及びシナリオにおいて、ＵＥの伝送しようとするデータフォーマット、パケットサイズ及び伝送方式は比較的安定であり、この際、ＵＥリソースに対する設定指示は強い柔軟性を必要とせず、システムの利用可能な周波数領域リソースを複数のサブチャネルに分割することができる。各サブチャネルに１つまたは複数のＲＢが含まれ、各サブチャネルに含まれるＲＢの数及び位置は固定され、時間領域において１つのサブフレームが含まれる。図６は、本発明の好ましい実施例による周波数領域リソースを複数のサブチャネルに分割するサブチャネル設定方式の概略図である。利用可能な周波数領域リソースＲＢの設定をサブチャネルごとに決定して、サブチャネル設定に基づいてリソースを指示する。例えば、使用されるＲＢリソースを、サブチャネルインデックス（ｓｕｂ−ｃｈａｎｎｅｌ  ｉｎｄｅｘ）を指示することによって指示し、送信制御指示情報（如ＳＣＩ）及び／又はデータ情報を運ぶために用いられる。
【０１１３】
なお、システム的周波数領域リソースには若干のＲＢが含まれる。ここで、システムの利用可能なＲＢとは、この通信システム（例えば、Ｄ２ＤやＶ２Ｖシステム）のシグナルベアラに使用可能なＲＢであり、利用可能なＲＢは、システム帯域幅内の実際に連続する物理ＲＢリソースであってよく、複数の離散物理ＲＢリソースであってもよい。実際に利用可能なＲＢが離散物理ＲＢである場合、離散ＲＢを論理的に順次番号付けて論理的に連続するＲＢリソースを形成してもよい。図７は、本発明の好ましい実施例によるサブチャネル設定が連続する物理ＲＢリソース及び論理的に連続するＲＢリソースにマッピングされることを示す図である。本発明の説明では、サブチャネルの分割及び指示方法は、上記いずれの場合にも適用でき、実際のシステムの利用可能なＲＢが論理ＲＢである場合、本発明に記載の方法は、論理的に連続するＲＢに対する設定及び指示を示し、論理ＲＢは実際のＲＢへのマッピング関係によって、物理ＲＢリソースを分割してサブチャネルを設定する効果を達成する。
【０１１４】
システムにおいて、利用可能なＲＢが複数のサブチャネルに分割されるサブチャネル設定情報は、特定の方式でシステム内のＵＥに通知される必要があり、サブチャネル設定情報は、共通情報であり、すべての利用可能なＵＥに知らせるべき、システムの予め定義、システムブロードキャストメッセージ（システム情報ブロック、Ｓｙｓｔｅｍ  Ｉｎｆｏｒｍａｔｉｏｎ  Ｂｌｏｃｋ、ＳＩＢ）、または上位層からのシグナリング、例えば無線リソース制御（Ｒａｄｉｏ  Ｒｅｓｏｕｒｃｅ  Ｃｏｎｔｒｏｌ、ＲＲＣ）メッセージによって指示されてもよい。ネットワーク側、またはサブチャネル設定を送信可能にする権限を有するＵＥは、採用されるサブチャネル設定を対応するシグナリングによって指示してもよい。
【０１１５】
システムを予め定義することでサブチャネル設定をする場合、各サブチャネルに含まれるＲＢの数及び位置を予め定義すべきであり、さらに、サブチャネルインデックスを順番に定義し、ＵＥが各サブチャネルインデックスに対応するサブチャネルに含まれるＲＢを一意に決定できるようにする。
【０１１６】
サブチャネル設定に基づいて、ｅＮＢは、ｓｕｂ−ｃｈａｎｎｅｌ  ｉｎｄｅｘを指示することによって、送信端ＵＥ及び／又は受信端ＵＥに、スケジューリングされる、ＵＥの制御情報及び／又はデータ情報を運ぶために用いられるｓｕｂ−ｃｈａｎｎｅｌリソースを指示してもよい。ＵＥは、利用可能なサブチャネルリソースにおいて、制御情報及び／又はデータ情報のベアラ送信に用いられる１つまたは複数のサブチャネルを自ら選択してもよい。
【０１１７】
サブチャネルリソースが制御情報及びデータ情報を同時に運ぶために用いられる場合、制御情報（例えばＳＣＩ）は、サブチャネルリソースの固定位置に運ばれてマッピングされ、例えば、周波数領域においてサブチャネルリソースにおける１つまたは複数のＲＢに固定的にマッピングされ、例えば、サブチャネルにおける最初のＲＢに固定的にマッピングされ、時間領域においてサブフレーム内のすべての利用可能なシンボルにマッピングされてもよい。図８ａは、本発明の好ましい実施例による制御情報とデータ情報が１つのサブチャネルに同時に運ばれる場合の制御情報の運び・マッピング方式の概略図１であり、または時間領域においてサブチャネルリソースにおける定められた１つまたは複数のシンボルにマッピングされ、周波数領域においてサブチャネルにおけるすべてのＲＢの例えばシンボル＃３、＃１０にマッピングされる。図８ｂは、本発明の好ましい実施例による制御情報とデータ情報が１つのサブチャネルに同時に運ばれる場合の制御情報の運び・マッピング方式の概略図２であり、または、１つまたは複数の定められたＲＢの定められた１つまたは複数のシンボル、例えばサブチャネルにおける最初のＲＢのシンボル＃２、＃４、＃９、＃１１に固定的にマッピングされる。図８ｃは、本発明の好ましい実施例による制御情報とデータ情報が１つのサブチャネルに同時に運ばれる場合の制御情報の運び・マッピング方式の概略図３である。ＳＣＩがデータと同時にｓｕｂ−ｃｈａｎｎｅｌリソースに運ばれる場合、ＳＣＩ情報のマッピングリソースはシステムによって固定方式で予め定義されるべきである。
【０１１８】
ＳＩＢメッセージまたはＲＲＣメッセージによってシステムのサブチャネル分割を指示する場合、具体的な指示方法は、以下のいずれか1つまたは複数種を含む。
【０１１９】
方法１：直接指示。
シグナリングによって各サブチャネルに含まれるＲＢの数を直接指示し、システムサブチャネル設定に対する指示を達成する。この方法の利点は、簡単であり、サブチャネルに対する分割方法が十分に柔軟であり、任意のＲＢ分割効果を実現することができる。
【０１２０】
実施例１
システムは、ＳＩＢメッセージによってＵＥにサブチャネル設定を指示し、システムの利用可能なＲＢの数が５０であり、ＳＩＢメッセージによって指示されるサブチャネル設定が［５，５，５，１０，１０，１５］の、合計５０ＲＢである。つまり、物理ＲＢごとに順次番号付け、ｓｕｂ−ｃｈａｎｎｅｌ  ｉｎｄｅｘ  ０にＲＢ  ｉｎｄｅｘ  ０−ｉｎｄｅｘ  ４のＲＢリソースが含まれ、ｓｕｂ−ｃｈａｎｎｅｌ  ｉｎｄｅｘ  １にＲＢ  ｉｎｄｅｘ  ５−ｉｎｄｅｘ  ９のＲＢリソースが含まれる。上記のように類推する。
【０１２１】
方法２：サブチャネルの数または各サブチャネルに含まれるＲＢの数を指示する。
システムにおいて利用可能なＲＢリソースの総量は既知の数値であり、各サブチャネルが均等分割方式を採用する場合、すなわち各サブチャネルに含まれるＲＢの数が同じであり、システムサブチャネル設定の指示は、サブチャネル総数を指示するか、またはサブ各チャネルに含まれるＲＢの数を指示することによって決定してよい。この方法の利点は、簡単であり、業務特性が単一である使用シナリオに適する。
【０１２２】
実施例２
システムは、ＳＩＢメッセージによってＵＥにサブチャネル設定を指示し、システムの利用可能なＲＢの数が５０であり、ＳＩＢメッセージによって指示されるサブチャネルの総数が１０であると、システムの利用可能なＲＢ総数に応じて、各サブチャネルに５個のＲＢが含まれることが特定できる。または、ＳＩＢメッセージによって各サブチャネルに含まれるＲＢの数が５であることを直接指示し、さらに、物理ＲＢを順次番号付けると、ｓｕｂ−ｃｈａｎｎｅｌ  ｉｎｄｅｘ  ０にＲＢ  ｉｎｄｅｘ  ０−ｉｎｄｅｘ  ４のＲＢリソースが含まれ、ｓｕｂ−ｃｈａｎｎｅｌ  ｉｎｄｅｘ  １にＲＢ  ｉｎｄｅｘ  ５−ｉｎｄｅｘ  ９のＲＢリソースが含まれることが特定できる。上記のように類推する。
【０１２３】
方法３：セグメント化指示。
システムは、ｍ個のＲＢにおけるサブチャネル設定を指示し、ｍはシステムの利用可能なＲＢ総数よりも小さい。さらに、ｍ個のＲＢにおけるサブチャネル設定をシステムの利用可能なＲＢにおいて順番に繰り返し拡張し、システム内のすべての利用可能なＲＢにおけるサブチャネル設定が得られる。この方法の利点は、指示オーバヘッドが相対的に低減し、相対的に小さな範囲内のサブチャネル設定のみを指示するだけでよく、リソースの総量が大きい使用シナリオに適する。
【０１２４】
実施例３
システムは、ＲＲＣメッセージによってＵＥにサブチャネル設定を指示し、システムの利用可能なＲＢの数は１００であり、指示されるサブチャネル設定は［２，２，５，５，１１］であり、すなわち、２５個のＲＢ範囲内のサブチャネル設定が指示される。さらに、この設定を物理ＲＢの順番に繰り返し拡張し、このサブチャネル設定をシステム帯域幅内で４回繰り返させ、システムの利用可能なすべてのＲＢのサブチャネル設定が得られ、合計２０個のサブチャネルが含まれる。図９は、本発明の好ましい実施例の方法３によるサブチャネル設定を指示する概略図である。
【０１２５】
方法４：ｂｉｔｍａｐによってサブチャネル分割を指示する。
システムにおける利用可能なＲＢの数をｂｉｔｍａｐの長さとして、シグナリングによってビットマップシーケンスを指示し、シーケンスにおける各ビットが１つのＲＢに対応し、すなわちビットマップシーケンスにおける各ビットがシステム内のＲＢに１対１対応する。さらに、ビットマップシーケンスにおいて、「１」と示されたビットに対応するＲＢを１つのｓｕｂ−ｃｈａｎｎｅｌのスタートＲＢとし、「０」と示されたビットに対応するＲＢを１つ前の隣接ＲＢのｓｕｂ−ｃｈａｎｎｅｌと同じであるＲＢとする。または、ビット「１」、「０」の意味を逆にすることができる。これに基づいて、システムは、１つのビットマップシーケンスによってｓｕｂ−ｃｈａｎｎｅｌの設定を指示し、上記のｂｉｔｍａｐの意味に応じて、システム内のＲＢのサブチャネル分割状態を特定できる。この方法の利点は、簡単であり、柔軟性が高く、指示オーバーヘッドが安定し、任意のサブチャネル設定を実現することができる。
【０１２６】
実施例４
システムは、ＲＲＣメッセージによってＶ２Ｖ  ＵＥにサブチャネル設定を指示し、ｅＮＢは、ＲＲＣメッセージによってサブチャネル設定のビットマップシーケンスが「１００００  １００００  １００００  ０００００  １００００  ０００００．．．」であることを指示し、すなわちＲＢの順番に、各ｓｕｂ−ｃｈａｎｎｅｌを［５、５、１０、１０、．．．］個のＲＢに分割する。
【０１２７】
方法５：サブチャネルのスタートＲＢの位置を指示する。
シグナリングによって各サブチャネルのスタートＲＢの位置を指示し、システムのサブチャネル設定を特定する效果が達成できる。指示されるサブチャネルのスタートＲＢは、実際の物理ＲＢ  ｉｎｄｅｘであってよく、論理的に連続するＲＢリソースプールにおけるＲＢ  ｉｎｄｅｘであってもよい。各指示されたサブチャネルのスタートＲＢ  ｉｎｄｅｘに対応するＲＢから、指示された次のサブチャネルのスタートＲＢの前の１つの隣接ＲＢまで、この間に順次接続されている1つまたは複数のＲＢは、いずれも同じサブチャネルに含まれるＲＢリソースである。この方法の利点は、簡単であり、柔軟性が高く、任意のサブチャネル設定を実現することができる。
【０１２８】
実施例５
システムは、ＲＲＣメッセージによってＶ２Ｖ  ＵＥにサブチャネル設定を指示し、ｅＮＢは、ＲＲＣメッセージによって各サブチャネルのスタートＲＢ  ｉｎｄｅｘが［０，５，１０，２０，．．．］であることを指示し、指示されるＲＢ  ｉｎｄｅｘが物理ＲＢリソースに対応する場合、上記のシグナリングによって指示されるサブチャネル設定には、ｓｕｂ−ｃｈａｎｎｅｌ＃０にＲＢ  ｉｎｄｅｘ  ０−４が含まれ、ｓｕｂ−ｃｈａｎｎｅｌ＃１にＲＢ  ｉｎｄｅｘ  ５−９が含まれ、ｓｕｂ−ｃｈａｎｎｅｌ＃２にＲＢ  ｉｎｄｅｘ  １０−１９が含まれ、ｓｕｂ−ｃｈａｎｎｅｌ＃３にＲＢ  ｉｎｄｅｘ  ２０−２９が含まれる（類推する…）ことを表示する。図１０ａは、本発明の好ましい実施例の方法３によるサブチャネル設定を指示する概略図１であり、指示されるＲＢ  ｉｎｄｅｘが論理的に連続する仮想ＲＢリソースに対応する場合、上記のシグナリングによって指示されるサブチャネル設定は、論理サブチャネルｓｕｂ−ｃｈａｎｎｅｌ＃０に論理ＲＢ  ｉｎｄｅｘ  ０−４が含まれ、論理サブチャネルｓｕｂ−ｃｈａｎｎｅｌ＃１に論理ＲＢ  ｉｎｄｅｘ  ５−９が含まれ、論理サブチャネルｓｕｂ−ｃｈａｎｎｅｌ＃２に論理ＲＢ  ｉｎｄｅｘ  １０−１９が含まれ、論理サブチャネルｓｕｂ−ｃｈａｎｎｅｌ＃３に論理ＲＢ  ｉｎｄｅｘ  ２０−２９が含まれる（類推する…）ことを表示する。さらに、論理ＲＢと物理ＲＢとの間のマッピング関係に応じて、実際のサブチャネル設定が決定される。図１０ｂは、本発明の好ましい実施例の方法３によるサブチャネル設定を指示する概略図２である。
【０１２９】
方法６：サブチャネルの数及び対応するサブチャネルに含まれるＲＢの数を順番に指示する。
システムに複数のサブチャネルが設定され、かつ異なるサブチャネルに含まれるＲＢの数が異なる場合、同じ数のＲＢが含まれるサブチャネルを同一タイプに分け、システムは、各タイプのチャネルに含まれるＲＢの数、及びこのタイプのサブチャネルの数を順番に指示し、指示の順番に従ってシステムの利用可能なＲＢを順次設定することによって、サブチャネルの設定を決定してもよい。この方法は、サブチャネルのタイプが限定されるシナリオに適し、限定の指示オーバヘッドで、システムサブチャネル設定に対する指示を達成できる。
【０１３０】
実施例６
システムは、ＳＩＢメッセージによってＵＥにサブチャネル設定を指示し、システムの利用可能なＲＢの数が１００であり、ＳＩＢメッセージによって［（１０，５），（５，１０）］と指示する。ここで、各括弧内の２つの値は、それぞれ一種のサブチャネル設定のサブチャネル数、及び各サブチャネルに含まれるＲＢ数を示す。上記の指示の効果として、第１タイプのサブチャネル総数が１０であり、各ブチャネルに５個のＲＢが含まれ、第２タイプのサブチャネルの数が５であり、各サブチャネルに１０個のＲＢが含まれると、システムの利用可能なＲＢに応じて順番に分割すれば、以下のことを特定できる。ｓｕｂ−ｃｈａｎｎｅｌ  ＃０−＃９において、各ｓｕｂ−ｃｈａｎｎｅｌに５個のＲＢが含まれ、ｓｕｂ−ｃｈａｎｎｅｌ  ＃１０−＃１４において、各ｓｕｂ−ｃｈａｎｎｅｌに１０個のＲＢが含まれ、システム内の１００個のＲＢに対するサブチャネル設定指示が達成する。
【０１３１】
方法７：サブチャネルの数及びインクリメント指示サブチャネルに含まれるＲＢの数を順番に指示する。
方法６に基づいて、さらに、インクリメントによって、各タイプのチャネルに含まれるＲＢの数の方法を指示し、システムサブチャネル設定を決定することができる。
【０１３２】
同様に、システムに複数のサブチャネルが設定され、かつ異なるサブチャネルに含まれるＲＢの数が異なる場合、同じ数のＲＢが含まれるサブチャネルを同一タイプに分け、システムは、各タイプのチャネルに含まれるＲＢの数、及びこのタイプのサブチャネルの数を順番に指示し、指示の順番に従ってシステムの利用可能なＲＢを順次設定することによって、サブチャネルの設定を決定してもよい。各タイプのチャネルに含まれるＲＢの数を具体的に指示する場合、第１タイプのサブチャネルに対して含まれるＲＢの数を直接指示し、後続のタイプのサブチャネルに対して、ＲＢの数をインクリメント指示し、すなわち、このタイプのサブチャネルに含まれるＲＢの数の、前のタイプのサブチャネルに対する増加値を指示し、このタイプのサブチャネルに含まれるＲＢの数を決定する。この方法は、同様にサブチャネルのタイプが限定されるシナリオに適し、限定の指示オーバヘッドで、システムサブチャネル設定に対する指示を達成できる。
【０１３３】
実施例７
システムは、ＳＩＢメッセージによってＵＥにサブチャネル設定を指示し、システムの利用可能なＲＢの数が１００であり、ＳＩＢメッセージによって［（６，５），（３，５），（２，１０）］と指示する。ここで、各括弧内の２つの値は、それぞれ一種のサブチャネル設定のサブチャネル数、及び各サブチャネルが前のタイプのサブチャネルに対して指示するインクリメントＲＢの数（第１タイプのチャネルには実際ＲＢの数である）を示す。この指示情報の指示効果として、第１タイプのサブチャネル総数が６であり、各サブチャネルに５個のＲＢが含まれ、第２タイプのサブチャネルの数が３であり、各サブチャネルに１０個のＲＢが含まれ、第３タイプのサブチャネルの数が２であり、各サブチャネルに２０個のＲＢが含まれると、システムの利用可能なＲＢに応じて順番に分割すれば、以下のことを特定できる。ｓｕｂ−ｃｈａｎｎｅｌ  ＃０−＃５において、各ｓｕｂ−ｃｈａｎｎｅｌに５個のＲＢが含まれ、ｓｕｂ−ｃｈａｎｎｅｌ  ＃６−＃８において、各ｓｕｂ−ｃｈａｎｎｅｌに１０個のＲＢが含まれ、ｓｕｂ−ｃｈａｎｎｅｌ  ＃９、＃１０において、各ｓｕｂ−ｃｈａｎｎｅｌに２０個のＲＢが含まれ、システム内の１００個のＲＢに対するサブチャネル設定指示が達成される。
【０１３４】
実施例８
システムに一定の要求があり、複数のサブチャネル設定方式を同時にサポートすることが要求されると、異なるサブチャネル設定方式を異なるリソースプール及び／又は異なるサブフレームに別々に定義してもよい。
【０１３５】
例えば、システムは、周波数領域に応じて、重複しない単独のＲＢリソースが含まれる２つのリソースプールに分割される。業務要求に応じて、２つのリソースプールに、それぞれ単独のサブチャネル設定を指示してもよい。図１１は、本発明の好ましい実施例による実施例８のサブチャネル設定の概略図１である。リソースプールＡに含まれるサブチャネルの数が多く、各サブチャネルに含まれるＲＢの数が少ない場合、ユーザデータパケットが小さく、かつユーザの数がより多い使用及びシナリオに用いられる。リソースプールＢに含まれるサブチャネルの数が少なく、各サブチャネルに含まれるＲＢの数が多い場合、ユーザデータパケットが大きく、かつユーザの数が少ない使用及びシナリオに用いられる。
【０１３６】
例えば、システムは、サブフレームごとに重複しないサブフレームリソースが含まれる２つのリソースプールに分割される。業務要求に応じて、２つのリソースプールに、それぞれ単独のサブチャネル設定を指示してもよい。図１２は、本発明の好ましい実施例による実施例８のサブチャネル設定の概略図２である。リソースプールＡに含まれるサブチャネルの数が多く、各サブチャネルに含まれるＲＢの数が少ない場合、ユーザデータパケットが小さくて、かつユーザの数が多い適使用及びシナリオに用いられる。リソースプールＢに含まれるサブチャネルの数が少なく、各サブチャネルに含まれるＲＢの数が多い場合、ユーザデータパケットが大きく、かつユーザの数が少ない使用及びシナリオに用いられる。
【０１３７】
方法８、サブチャネルリソースをさらに制御情報リソースドメイン及びデータ情報リソースドメインに分割する。
【０１３８】
サブチャネルが制御情報とデータ情報を運ぶために用いられる場合、またはサブチャネルがデータ情報を運ぶことのみに用いられる場合に、サブチャネルリソースは、さらに、制御情報リソースドメイン及びデータ情報リソースドメインの２つの部分に分割されてもよい。ここで、制御情報リソースドメインが制御情報を運んでマッピングするために用いられ、データ情報リソースドメインがデータ情報を運んでマッピングするために用いられる。
【０１３９】
サブチャネルが制御情報リソースドメイン及びデータ情報リソースドメインに分割される場合、両方に含まれるリソースの総和がこのサブチャネルに含まれるすべてのリソースであり、すなわち、サブチャネルに含まれるリソースにおいて、制御情報リソースドメイン以外のすべてのリソースがデータ情報リソースドメインである。
【０１４０】
情報ベアラの面では、制御情報リソースドメインは制御情報を運んでマッピングすることのみに用いられ、このサブチャネルにおいてデータ情報のみが運ばれる場合、データ情報がデータ情報リソースドメインに含まれるリソースに運ばれてマッピングされており、制御情報リソースドメインにおけるリソースを利用できない。つまり、サブチャネルにおいて制御情報が運ばれない場合、制御情報リソースドメインに含まれるリソースにおいて、何れの情報も運ばれなくてもよい。
【０１４１】
サブチャネルに含まれるリソースにおいて、制御情報リソースドメイン及びデータ情報リソースドメインに対する分割方式は、以下のいずれかの項目を含む。
サブチャネルの時間領域リソースにおいて、制御情報リソースドメインにサブフレーム内のすべての利用可能なシンボルが含まれ、サブチャネルの周波数領域リソースにおいて、制御情報リソースドメインに定められた１つまたは複数のＲＢが含まれること。
サブチャネルの時間領域リソースにおいて、制御情報リソースドメインにサブフレーム内の定められた１つまたは複数のシンボルが含まれ、サブチャネルの周波数領域リソースにおいて、制御情報リソースドメインにすべてのＲＢが含まれること。
サブチャネルの時間領域リソースにおいて、制御情報リソースドメインにサブフレーム内の定められた１つまたは複数のシンボルが含まれ、サブチャネルの周波数領域リソースにおいて、制御情報リソースドメインに定められた１つまたは複数のＲＢが含まれること。
【０１４２】
実施例９
システムは、以下のように予め定義する。各サブチャネルのリソースにおいて、周波数領域におけるサブチャネルに含まれるすべてのＲＢにおけるＲＢインデックス（ｉｎｄｅｘ）番号が最も小さな２つのＲＢと、時間領域におけるすべての利用可能なシンボルとを、該サブチャネの制御情報リソースドメインとし、これ以外の部分はデータ情報リソースドメインとする。
【０１４３】
図１３に示すように、システムを予め定義することに応じて、対応する各サブチャネルにおける制御情報リソースドメインは、各サブチャネルにおける下位２ＲＢリソースを含む。
【０１４４】
実施例１０
システムは、上位層からのシグナリングによって設定され、各サブチャネルにおけるＲＢ  ｉｎｄｅｘ番号が一番大きな１つのＲＢと、すべての利用可能なシンボルとを、制御情報リソースドメインとする。システム設定に応じて、図１４ａに示すように、サブチャネルが制御情報とデータ情報を運ぶ場合、両者はそれぞれ制御情報リソースドメイン及びデータ情報リソースドメインに運ばれてマッピングされ、図１４ｂに示すように、サブチャネルが現在のサブフレームにおいてデータ情報のみを運ぶ場合、データ情報がデータ情報リソースドメインに運ばれてマッピングされて、制御情報リソースドメインにおけるリソースが空になり、図１４Ｃに示すように、同様に、サブチャネルが現在のサブフレームにおいて制御情報のみを運ぶ場合、制御情報は制御情報リソースドメインに運ばれてマッピングされて、データ情報リソースドメインにおけるリソースが空になり、何れの情報も運ばれない。
【０１４５】
上記の実施形態の説明によって、当業者であれば、上記の実施例による方法は、ソフトウェア及び必要な汎用ハードウェアプラットフォームによって実現されることができ、もちろんハードウェアを介してもよいが、多くの場合、前者がより良い実施態様であることを明確に理解することができる。このような理解に基づいて、本発明の技術手段は、本質的に、又は先行技術に貢献する部分は、ソフトウェア製品の形態で具体化することができる。該コンピュータソフトウェア製品は、記憶媒体（例えば、ＲＯＭ／ＲＡＭ、磁気ディスク、光ディスク）に記憶され、端末装置（携帯電話、コンピュータ、サーバ又はネットワークデバイス等）に本発明の各実施例に記載の方法を実行させるための幾つかの指令を含む。
【０１４６】
なお、上記各モジュールは、ソフトウェア又はハードウェアにより実現されてもよく、後者については、上記の各モジュールを同一のプロセッサ内に位置させるか、または上記の各モジュールをそれぞれ複数のプロセッサに位置させるという方式で実現されてもよいが、これに限定されない。
【０１４７】
本発明の実施例では、記憶媒体を更に提供する。オプションとして、本実施例において、前記記憶媒体は、以下のステップを実行するためのプログラムを格納するように構成されてもよい。
Ｓ１において、システムの周波数領域リソースブロックＲＢを１つまたは複数のサブチャネルに分割してシステムのサブチャネル設定を達成し、各前記サブチャネルに含まれる前記ＲＢは重複しない。
Ｓ２において、サブチャネルごとに一意のサブチャネルインデックスを対応させ、このサブチャネルインデックスによって、該サブチャネルに含まれ、ユーザ端末の制御情報及び／又はデータ情報を運ぶために用いられるＲＢを使用することを指示する。
【０１４８】
オプションとして、本実施例において、前記記憶媒体は、Ｕディスク、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、リムーバブルハードディスク、磁気ディスク又は光ディスク等の様々なプログラムコード記憶可能な媒体を含んでもよいが、これに限定されない。
【０１４９】
オプションとして、本実施例において、プロセッサは、記憶媒体に記憶されたプログラムによって上記の実施例に係るステップを実行する。
【０１５０】
オプションとして、本実施例に係る具体的な例は、上記の実施例及びオプションの実施形態で説明した例を参照することができ、本実施例はここでは説明を省略する。
【０１５１】
明らかに、上述した本発明の各モジュール又は各ステップが、汎用の計算装置により実現可能であり、単一の計算装置に集中するか、複数の計算装置からなるネットワークに分散しでも良く、オプションとして、計算装置が実行可能なプログラムコードにより実現可能であり、これにより、記憶装置に記憶されて計算装置で実行することができ、場合によって、ここで説明した順序以外の順序で図示又は説明したステップを実行してもよく、或いは、それらを個々の集積回路モジュールに作成し、或いはそれらの中の複数のモジュール又はステップを単一の集積回路モジュールに作成することで実現しでもよいことを、当業者であれば理解すべきである。このように、本発明は、いずれかの特定のハードウェアとソフトウェアの組合わせには限定されない。
【０１５２】
以上の説明は、本発明の好ましい実施例に過ぎず、本発明を限定するものではなく、当業者にとって、本発明は様々な変更と変化が可能である。本発明の要旨及び原則を逸脱しない範囲において種々の変更、同等な入替、改善等は、いずれも本発明の保護範囲内に含まれるべきである。
【産業上の利用可能性】
【０１５３】
本発明の実施例は、システムの周波数領域リソースブロックＲＢを１つまたは複数のサブチャネルに分割してシステムのサブチャネル設定を達成し、各該サブチャネルに含まれる該ＲＢは重複しないことと、該サブチャネルごとに一意のサブチャネルインデックスを対応させ、対応する該サブチャネルに含まれ、ユーザ端末の制御情報及び／又はデータ情報を運ぶためのＲＢを使用することを、該サブチャネルインデックスによって指示することと、を含むリソース設定を実現する方法及び装置を提供する。上記の手段によって、Ｖ２Ｖ通信システムにおいて設定する時間領域／周波数領域リソースを指示するオーバーヘッドが大きいという問題を解決し、設定する時間領域／周波数領域リソースを指示するオーバーヘッドが低減する。
【図１】
2019510396.tif 000004
【図２】
2019510396.tif 000005
【図３】
2019510396.tif 000006
【図４】
2019510396.tif 000007
【図５】
2019510396.tif 000008
【図６】
2019510396.tif 000009
【図７】
2019510396.tif 000010
【図８ａ】
2019510396.tif 000011
【図８ｂ】
2019510396.tif 000012
【図８ｃ】
2019510396.tif 000013
【図９】
2019510396.tif 000014
【図１０ａ】
2019510396.tif 000015
【図１０ｂ】
2019510396.tif 000016
【図１１】
2019510396.tif 000017
【図１２】
2019510396.tif 000018
【図１３】
2019510396.tif 000019
【図１４ａ】
2019510396.tif 000020
【図１４ｂ】
2019510396.tif 000021
【図１４ｃ】
2019510396.tif 000022
【国際調査報告】
2019510396.tif 000023
2019510396.tif 000024
2019510396.tif 000025
2019510396.tif 000026